(57)【特許請求の範囲】
【請求項１】
内釜と、この内釜を取り出し可能に収納する炊飯器本体と、この炊飯器本体内にあって上記収納された内釜を加熱する内釜加熱手段と、上記炊飯器本体の上部に開閉可能に設けられた蓋体と、炊飯又は保温時における上記内釜加熱手段の加熱状態を制御する制御手段と、通電状態において、上記制御手段への制御入力の操作設定を行う操作部と、該操作部を操作する操作者の存否を検出し、操作者が存在する場合には上記操作部を制御入力の設定が可能な通電状態に制御する一方、操作者が存在しない場合には上記操作部を制御入力の設定が不可能な非通電状態に制御する人感センサを備えてなる電気炊飯器であって、上記操作部が制御入力の設定が不可能な非通電状態に制御されており、かつ上記人感センサが上記操作者の存在を検出しなかった場合にも、上記操作者が上記操作部を操作した場合には、上記操作部を上記制御入力の設定が可能な通電状態に復帰させるようにしたことを特徴とする電気炊飯器。
【請求項２】
操作部が、タッチキーを備えた複数のタッチスイッチと該複数のタッチスイッチの上記タッチキー部分を照明する照明手段とからなり、人感センサが、所定の時間以上継続して操作者の存在を検出しなかった場合に非通電状態に移行し、それぞれ制御入力の設定が不可能になるとともに、照明手段が消灯されて外部から見えなくなるように構成されていることを特徴とする請求項１記載の電気炊飯器。
【請求項３】
制御手段は、制御入力の設定が不可能な非通電状態から制御入力の設定が可能な通電状態に復帰させる操作部の操作については、操作入力の判定を行わないようになっていることを特徴とする請求項1又は２記載の電気炊飯器。
【請求項４】
制御入力の設定が不可能な非通電状態において、人感センサの検知入力がある場合には、人感センサの検知入力を優先して制御入力の設定が可能な通電状態に復帰させるようにしたことを特徴とする請求項１、２または３記載の電気炊飯器。
【発明の詳細な説明】
【技術分野】
【０００１】
この出願の発明は、人体からの赤外線を受光して人の存在を検知する人感センサを備え、その検知結果にもとづいて炊飯器の操作設定部等を所望の動作状態に制御するようにした電気炊飯器の構成に関し、さらに詳しくは、同人感センサの検知機能が不十分な場合にも、確実に炊飯器の操作設定部等を所望の動作状態に制御できるようにした電気炊飯器の構成に関するものである。
【背景技術】
【０００２】
最近の電気炊飯器では、通常の白米炊飯のみでなく、たとえば玄米や雑穀の炊飯、また炊き込み、おこわ、おかゆなどの炊飯機能、早炊き、エコ炊き機能に加え、それらの各場合における火加減の調節や仕上がりレベルの調節、音声ガイド、さらには調理、内鍋洗浄等の機能を備えたものまで提供されるようになっている。
【０００３】
このような多くの機能を備えた電気炊飯器では、それら各機能の操作設定を行うための操作パネル部分における操作スイッチの数も多く、また、それらの操作に必要な情報を表示するための表示パネル部分の表示量も多い（例えば特許文献１に示される電気炊飯器の構成を参照）。
【０００４】
このような構成の電気炊飯器の場合、当然ながら、炊飯器本体内の電源回路にＡＣ電源が接続され、その操作設定を待っているスタンバイ状態（操作待機状態）にあっては、制御手段としてのマイコン制御ユニットはもちろん、操作パネル側操作基板上の各種スイッチ回路を活性化状態（電源供給状態）に維持するとともに、表示パネル側の液晶ディスプレイ駆動回路や照明回路にも電源を供給して駆動状態に維持しておく必要があることから、常時所定量以上の無駄な電力が消費されており、上記スタンバイ時間が長くなると、より多くの無駄な電力を消費してしまうことになる。
【０００５】
そこで、このような問題を解決するために、最近では、上記操作パネルおよび表示パネル部分の動作状態の制御を行なうマイコン制御ユニットに対してリアルタイムクロック機能（ＲＴＣ機能）を付加し、上記スタンバイ状態において所定の時間以上操作パネルの操作がなされなかった場合には、自動的にスイッチ回路や表示パネル駆動回路、照明回路の電源をセーブ（またはＯＦＦに）するＷＡＩＴモード（省エネモード）に移行させて、可及的に消費電力の節減を図るようにしたものが提案されるようになっている。そして、このような操作待機状態においてＷＡＩＴモードを採用した電気炊飯器の場合、同ＷＡＩＴモード下においては、当然のことながら、何らかの手段で当該ＷＡＩＴモードを解除しない限り、操作スイッチの操作をしても無効（入力不能）であり、また表示パネルにおける表示や照明もなされないようになっている（非駆動、消灯）。
【０００６】
そこで、同操作待機状態においてＷＡＩＴモードを採用した電気炊飯器の場合、当該操作待機状態におけるＷＡＩＴモードから操作設定入力、表示、照明が可能な通常の待機モードへの復帰は、本来の操作スイッチとは別に、専用のＷＡＩＴモード解除スイッチを設け、必要に応じて同ＷＡＩＴモード解除スイッチを押すことによって行うように構成したものが一般的である。
【先行技術文献】
【特許文献】
【０００７】
【特許文献１】特開２０１３−２４４１０７号公報
【発明の概要】
【発明が解決しようとする課題】
【０００８】
たしかに、ＷＡＩＴモード（省エネモード）解除専用の操作スイッチを設け、同操作スイッチを押してＷＡＩＴモードを解除するようにすると、操作設定入力が不可能なＷＡＩＴモードでの待機状態から、操作設定入力が可能な通常モードの待機状態に確実に復帰させることができる。
【０００９】
しかし、そのような構成の場合、ＷＡＩＴモード解除専用の操作スイッチの設置が必要で、しかも、その都度ＯＮ操作が必要であるという意味で利便性に欠ける問題がある。また、ＷＡＩＴモード解除専用の操作スイッチを設けた場合、同スイッチの存在が分かりにくかったり、押し忘れなどが生じて、ＷＡＩＴモードの解除ができず、必要な操作設定入力が行えないなどの誤解や、製品トラブルの問題を招きやすい問題がある。
【００１０】
このような問題を適切に解決するためには、例えば電気炊飯器自体が人の存在を自動的に検知する機能を持ち、人が居るか居ないかによって、例えば操作設定入力が不可能なＷＡＩＴモードでの待機状態に維持させるか、または操作設定入力が可能な通常モードでの待機状態に復帰させるかなど、当該電気炊飯器の操作パネル、表示パネルへの通電状態、作動状態などの動作状態を所望の状態に制御できるようになっていることが望まれる。
【００１１】
そこで、このような要望に応えるために、例えば当該電気炊飯器に、人体から放射される赤外線を受光して、操作対応位置等所定の炊飯器に対応する位置にユーザーが居るか居ないかを検知する赤外線式の人感センサを設けることが検討されている。
【００１２】
このように電気炊飯器に人感センサを設けた場合、当該電気炊飯器の所定の対応エリア内におけるユーザーの存在を検出できるようになり、ユーザーが電気炊飯器本体に対する所定の対応位置に居ない場合（人感センサの検出入力がない場合）には、上記操作パネルの操作スイッチ部および表示パネルの表示部、照明部等を自動的にＷＡＩＴモード（電源ＯＦＦまたは電源セーブの省エネモード）に設定維持して、可及的に消費電力を低減する一方、ユーザーが上記対応位置に居る場合（人感センサの検出入力がある場合）には、同ＷＡＩＴモード（省エネモード）を自動的に解除して、所望の操作設定入力および表示、照明が可能な通常モードに復帰させることが可能となる。したがって、上記従来のようなＷＡＩＴモード解除専用の操作スイッチを設け、操作設定しようとする度に同スイッチをＯＮ操作しなければいけない場合に比較して、非常に利便性が高くなる。また、ＷＡＩＴモード解除専用の操作スイッチを設ける必要がなくなる。
【００１３】
ところが、種々の検討、開発を進めてゆく中で、そのような人感センサを設けた場合にも、いくつかの問題があることが判明した。その一つが当該人感センサの不感領域の問題である。
【００１４】
すなわち、赤外線方式の人感センサは、その特性上温度依存特性が高く、所定の温度以上の赤外線を入力するとともに、その入力方向の変化から対象とする人（ユーザー）の存在を検知するようになっている。そして、検知するのが人であるから、上記検知すべき赤外線の所定の温度は、当然ながら人の体温が基準となり、人の体温に基づいて放射される赤外線の入力量が基準となる。
【００１５】
ところが、この人の体温は３６．５℃前後の比較的低い温度であり、真夏日などには、上記人感センサのセンサ部周囲の雰囲気温度（室温）が同等の温度に上昇することもある。また、エアコンなどの暖房温度の影響も受けやすい。そのような場合、上記人感センサに入力される赤外線量は周囲温度によるものなのか、ユーザーの体からの放射によるものなのかの区別がつかなくなり、正確な人の検知ができなくなってしまう問題がある。つまり、人感センサの検出入力自体の信頼性を損なうことになる。
【００１６】
また、人感センサは、例えば受光レンズを備えて外部からの赤外光を集光する受光部および該受光部で集光された赤外光を受光して電気信号を出力する受光回路部よりなり、受光部の受光レンズを通して入射する赤外光を赤外フィルタに通すことによって予め設定された帯域のものにセレクトしたうえで、受光回路部中の焦電素子部分に集め、該焦電素子部分から出力される受光量に応じた電圧信号をインピーダンス変換し、所定の電圧レベルに増幅した上で出力するようになっている。
【００１７】
上記焦電素子は、例えば圧電セラミックスの一種である焦電セラミックスよりなる一対の焦電電極を相互に平行な状態で並設して構成されており、これら相互に平行な一対の焦電電極により、それぞれ入射する赤外光の光源までの距離を検知し、所定の時間内における各々の検知距離の差の変化によりユーザーの動きを検知して、ユーザーがいるか居ないかを判定するようになっている。
【００１８】
したがって、上記受光部の受光レンズ部分には必然的に周方向に入射角の限界があり、また同入射角は、炊飯器部分に形成された人感センサへの赤外線導入口の開口径および深さによっても制限される。
【００１９】
その結果、例えば炊飯器本体の側方部や後方部など、当該人感センサの入射角範囲外の検出不能なエリアから手のみを伸ばして操作パネルを操作しようとした時などには、上記人感センサがユーザーの存在を検知せず、ＷＡＩＴモードを解除することができないので、ユーザーが必要な操作スイッチをＯＮ操作しているにも拘わらず、操作設定をすることができないという問題が生じる。
【００２０】
さらに、蓋体部分に人感センサを設けた場合、蒸気ユニット（調圧ユニット）から吹き出された高温の「おねば」が、人感センサの赤外線導入口部分まで流れ、ユーザーが居ないにも拘わらず人感センサを検知状態にしてしまうことも考えられる。そのため、上記センサ部周囲の雰囲気温度が高い場合と同様の問題がある。また、同「おねば」が人の体温よりも低い状態まで冷えた場合、そのような温度上の問題は解消されるが、他方「おねば」が赤外線導入口のカバー面を覆うことから、人感センサの感度を低下させ、検知機能を低下させる問題がある。
【００２１】
この出願の発明は、このような電気炊飯器に人感センサを設けた場合の技術的課題を解決するためになされたもので、上述のような人感センサが適切な検知機能を果たし得ない不感領域においては、当該人感センサの検知入力がない場合にあっても、少なくとも複数の操作スイッチを備えた操作パネルの操作チスイッチ部が操作された場合には、同操作スイッチ部の操作を条件として上記複数の操作スイッチを入力可能な状態に制御するようにした電気炊飯器を提供することを目的とするものである。
【課題を解決するための手段】
【００２２】
本願発明は、上記の目的を達成するために、次のような課題解決手段を備えて構成されている。
（１）請求項１の発明の課題解決手段
この発明の電気炊飯器は、内釜と、この内釜を取り出し可能に収納する炊飯器本体と、この炊飯器本体内にあって上記収納された内釜を加熱する内釜加熱手段と、上記炊飯器本体の上部に開閉可能に設けられた蓋体と、炊飯又は保温時における上記内釜加熱手段の加熱状態を制御する制御手段と、通電状態において、上記制御手段への制御入力の操作設定を行う操作部と、該操作部を操作する操作者の存否を検出し、操作者が存在する場合には上記操作部を制御入力の設定が可能な通電状態に制御する一方、操作者が存在しない場合には上記操作部を制御入力の設定が不可能な非通電状態に制御する人感センサを備えてなる電気炊飯器であって、上記操作部が制御入力の設定が不可能な非通電状態に制御されており、かつ上記人感センサが上記操作者の存在を検出しなかった場合にも、上記操作者が上記操作部を操作した場合には、上記操作部を上記制御入力の設定が可能な通電状態に復帰させるようにしたことを特徴としている。
【００２３】
このように、通電状態において、マイコン等制御手段への制御入力の操作設定を行う操作部に加え、該操作部を操作する操作者の存否を検出し、操作者が存在する場合には該操作部を制御入力の設定が可能な通電状態に制御する一方、操作者が存在しない場合には同操作部を制御入力の設定が不可能な非通電状態に制御する人感センサを備えてなる電気炊飯器において、上記操作部が制御入力の設定が不可能な非通電状態に制御されており、かつ上記人感センサが上記操作者の存在を検出しなかった場合であっても、少なくとも上記操作者が上記操作部を操作した場合には、上記操作部を上記制御入力の設定が可能な通電状態に復帰させるようにすると、例えば人感センサの検出領域外から操作スイッチが操作されたような場合や人感センサのセンサ部周囲の雰囲気温度が人の体温と同じ温度以上になったような場合、また「おねば」の影響があるような、要するに人感センサの検出機能を信頼しにくい場合にも、実際に操作部が操作された時点で当該操作部を制御入力の設定が可能な通電状態に確実に復帰させることができる。
【００２４】
したがって、人感センサの検出領域外から操作スイッチが操作されたような場合や人感センサのセンサ部雰囲気温度が人の体温と同じ温度以上になり、人感センサの検知機能が適正に機能しなかったような場合、「おねば」の影響があるような場合にも、それぞれ確実に必要な炊飯または保温情報を入力し、設定することができるようになる。
（２）請求項２の発明の課題解決手段
この発明の課題解決手段は、上記請求項１の発明の課題解決手段の構成において、操作部が、タッチキーを備えた複数のタッチスイッチと該複数のタッチスイッチの上記タッチキー部分を照明する照明手段とからなり、人感センサが、所定の時間以上継続して操作者の存在を検出しなかった場合に非通電状態に移行し、それぞれ制御入力の設定が不可能になるとともに、照明手段が消灯されて外部から見えなくなるように構成されていることを特徴としている。
【００２５】
このように、操作部が、タッチキーを備えた複数のタッチスイッチと該複数のタッチスイッチの上記タッチキー部分を照明する照明手段とからなり、人感センサが、所定の時間以上継続して操作者の存在を検出しなかった場合に非通電状態に移行し、それぞれ制御入力の設定が不可能になるとともに、照明手段が消灯されて外部から見えなくなるように構成されている場合、スイッチ回路や照明手段への不要な通電による電力の消費がなくなり、省エネ性能が向上する。また、操作待機状態における炊飯器本体の操作面のデザインが斬新なものとなり、販売時における顧客吸引力が向上する。
【００２６】
そして、このような構成の場合、非通電状態に移行すると、ユーザーは個々のタッチスイッチの位置や種別を判別することができず、記憶に基づいて適当に操作したのでは誤操作の原因になる。また、省エネ機能を優先して、照明手段だけでなく、タッチスイッチの操作入力回路そのものの動作電源をもＯＦＦにするか、セーブ状態に低減しているため、正常な入力判定を行うことができない。したがって、同状態では、いずれのタッチスイッチを操作しても、その操作は無効とされ、入力されないように構成している。
【００２７】
そのため、上記人感センサの検出領域外から操作スイッチが操作されたような場合や人感センサのセンサ部周囲の雰囲気温度が人の体温と同じ温度以上になり、人感センサの検出機能が適正に機能しなかった場合、さらに「おねば」の影響がある場合など、人感センサがユーザーの炊飯器本体へのアプローチを適切に検出しないと、いつまでも炊飯または保温情報の入力設定ができないことになる。
【００２８】
そこで、上記請求項１の発明の課題解決手段に示されるように、人感センサの人検知入力がない場合であっても、操作部の操作、すなわち複数のタッチスイッチの何れか、または複数のものがタッチ操作された時点で、先ず当該複数のタッチスイッチの操作入力回路および各々の照明手段を通電状態に復帰させ、制御入力の設定を可能にするとともに、照明手段を点灯させて各タッチスイッチの位置と種別を明確に表示する。
【００２９】
そして、その上で、改めて所望のタッチスイッチを入力操作し、同スイッチに対応する操作入力回路を通して、必要な制御入力の設定を行う。この結果、個々のタッチスイッチの位置や種別を判別することができない非通電状態における通電状態への復帰操作による操作では制御入力の設定が行えないようになる。
（３）請求項３の発明の課題解決手段
この発明の課題解決手段は、上記請求項１または２の発明の課題解決手段の構成において、制御手段は、制御入力の設定が不可能な非通電状態から制御入力の設定が可能な通電状態に復帰させる操作部の操作については、操作入力の判定を行わないようになっていることを特徴としている。
【００３０】
制御入力の設定が不可能な非通電状態から制御入力の設定が可能な通電状態に復帰させるための最初の操作部の操作は、省エネ性能の高い非通電状態を解除して制御入力の設定が可能な通電状態に戻しさえすれば良いので、炊飯、保温情報を設定入力する場合のような操作部の操作対象（スイッチ）を特定した正確な操作は不要であり、操作対象（スイッチ）や操作対象の数（スイッチの数）を特定しないラフなタッチ操作で確実に非通電状態を解除することができる。したがって、そのような操作部の操作に対応して操作入力の判定を行うことは好ましくない。
【００３１】
特に、上記請求項２の発明の課題解決手段の構成のように、操作部が、タッチキーを備えた複数のタッチスイッチよりなり、それらの各々がそれぞれ照明手段を備え、上記省エネ性能を考慮した非通電状態では、それぞれその照明手段が消灯されて各タッチスイッチが外部から見えなくなるように構成されている場合には、照明手段が点灯せず、タッチスイッチが表示されていないために、操作対象を特定した正確なタッチ操作自体が不可能である。したがって、同操作による入力の判定を可能とすると、誤った制御入力の設定が生じやすい。
【００３２】
そこで、制御入力の設定が不可能な非通電状態から制御入力の設定が可能な通電状態に復帰させる複数のタッチスイッチの操作状態の判定では、それら複数のタッチスイッチの何れか一つ、または複数のものが操作されたという操作事実だけを判定し、いずれの操作スイッチが操作されたかなどの制御入力設定用の入力判定は行わないように構成する。
【００３３】
そして、それによって誤ったタッチスイッチの操作による誤った制御入力の設定を確実に回避する。
（４）請求項４の発明の課題解決手段
この発明の課題解決手段は、上記請求項１、２または３の発明の課題解決手段の構成において、制御入力の設定が不可能な非通電状態において、人感センサの検知入力がある場合には、人感センサの検知入力を優先して制御入力の設定が可能な通電状態に復帰させるようにしたことを特徴としている。
【００３４】
請求項１、２または３の発明の課題解決手段の構成のように、制御入力の設定が不可能な省エネ性能を考慮した非通電状態から制御入力の設定が可能な通電状態に復帰させる手段として、人感センサによる復帰手段と操作部の操作による復帰手段との２つの手段を設けた場合、いずれか一方の復帰手段が作動しない場合にも他方の復帰手段を利用して確実に復帰させることができる点で、より確実な復帰機能を実現することができる。
【００３５】
しかし、その場合でも、もしも人感センサの正常な検知入力があれば、人感センサの検知入力の方を優先して非通電状態を解除して、通電状態に復帰させるようにし、人感センサの人検知入力がない場合にのみ、操作部が操作されたことを条件として非通電状態を解除するようにすることが好ましい。
【００３６】
ユーザーが適正に炊飯器本体にアプローチする場合、操作部の操作スイッチに触れるよりは人感センサがユーザーのアプローチを検出する方が早く、省エネモード解除の応答性も高い。また、何らの操作を必要とせず、自動的に解除されるから利便性も高く、しかも最初の操作部の操作スイッチの操作により制御入力を設定することができるから、非通電状態を解除するのみの無駄な操作を必要としない。
【発明の効果】
【００３７】
以上の結果、この出願の発明によると、ユーザーが操作パネルの操作スイッチを操作しようとしているにも拘わらず、人感センサが不感領域にあって検知機能が働かず、必要な炊飯、保温情報の入力設定ができないような場合にも、確実に制御入力の設定が不可能な非通電状態から制御入力の設定が可能な通電状態に復帰させて炊飯、保温情報の入力設定を可能とすることができるようになり、人感センサを設けた場合にも、操作部の本来の適切な操作感を損なうことなく操作スイッチを使用した炊飯、保温情報の入力設定を可能とすることができる。
【図面の簡単な説明】
【００３８】
【図１】ＷＡＩＴモード設定状態（制御入力の設定、操作パネル部分の操作、表示、照明等が不可能な非通電状態）における、この出願の発明の第１の実施の形態に係る電気炊飯器の炊飯器本体上面部の構成を示す平面図である。
【図２】ＷＡＩＴモード解除状態（制御入力の設定、操作パネルの操作、表示、照明等が可能な通電状態）における、この出願の発明の第１の実施の形態に係る電気炊飯器の炊飯器本体上面部の構成を示す平面図である。
【図３】この出願の発明の第１の実施の形態に係る電気炊飯器の炊飯器本体の内部の構成を示す図１のＡ−Ａ線切断部での断面図である。
【図４】この出願の発明の第１の実施の形態に係る電気炊飯器の炊飯器本体の内部の構成を示す図３の左半分部分（蓋体を除いた前部部分）の拡大断面図である。
【図５】この出願の発明の第１の実施の形態に係る電気炊飯器の炊飯器本体の炊飯器本体肩部における肩部材、肩ヒータ枠、肩ヒータカバー、シール用摺動パッキン、金属プレート各部分の構成を示す上下分解斜視図である。
【図６】この出願の発明の第１の実施の形態に係る電気炊飯器の炊飯器本体の外釜、第２の保護枠ユニット（上）、第１の保護枠ユニット（下）、磁気遮蔽板、第１、第２のワークコイル、フェライトコア、コイル台各部分の構成を示す上下分解斜視図である。
【図７】この出願の発明の第１の実施の形態に係る電気炊飯器の炊飯器本体の蓋体前部部分における人感センサの設置状態を示す図１のＢ−Ｂ線切断部での拡大断面図である。
【図８】この出願の発明の第１の実施の形態に係る電気炊飯器の炊飯器本体の蓋体部分における人感センサの設置状態を示す図１のC−C線切断部での要部の断面図である。
【図９】この出願の発明の第１の実施の形態に係る電気炊飯器の炊飯器本体部分における人感センサのセンサ本体部と受光レンズ部分の構成を示す一部切り欠き正面図である。
【図１０】この出願の発明の第１の実施の形態に係る電気炊飯器の炊飯器本体部分における人感センサのセンサ本体部の構成を示す正面図である。図である。
【図１１】この出願の発明の第１の実施の形態に係る電気炊飯器の炊飯器本体部分における人感センサのセンサ本体部の構成（センサ本体部における焦電電極の配置状態）を示す平面図である。
【図１２】この出願の発明の第１の実施の形態に係る電気炊飯器の炊飯器本体部分における人感センサの受光部および出力回路部（検出回路部）の構成を示す概略図である。
【図１３】この出願の発明の第１の実施の形態に係る電気炊飯器の炊飯器本体部分におけるマイコン基板上への人感センサの設置状態を示すマイコン基板全体の平面図である。
【図１４】この出願の発明の第１の実施の形態に係る電気炊飯器の炊飯器本体部分におけるマイコン基板上への人感センサの設置状態を示す図１３のマイコン基板コーナー部分の拡大平面図である。
【図１５】この出願の発明の第１の実施の形態に係る電気炊飯器の人感センサの複数の焦電電極による人検知作用の特徴（メカニズム）を示す説明図である。
【図１６】この出願の発明の第１の実施の形態に係る電気炊飯器の人感センサの複数の焦電電極による人検知作用の特徴を示すセンサ部出力信号の波形図である。
【図１７】この出願の発明の第１の実施の形態に係る電気炊飯器の炊飯器本体部分における電池基板上への傾斜センサの設置状態を示す斜視図である。
【図１８】この出願の発明の第１の実施の形態に係る電気炊飯器の炊飯器本体部分における傾斜センサの内部構造および電気的な回路構成を示す図である。
【図１９】この出願の発明の第１の実施の形態に係る電気炊飯器の炊飯器本体部分における蓋体の開閉状態と傾斜センサの傾斜角検出状態（傾斜角検出作用）との関係を示す説明用側面図である。
【図２０】この出願の発明の第１の実施の形態に係る電気炊飯器のマイコン制御ニットを中心とする制御回路の全体的な構成を示すブロック図である。
【図２１】この出願の発明の第１の実施の形態に係る電気炊飯器の図２０の制御回路による操作パネル部分の操作待機状態における制御動作を示すフローチャートである。
【図２２】この出願の発明の第２の実施の形態に係る電気炊飯器の上記第１の実施の形態の図２０の制御回路を用いた操作パネル部分の操作待機状態における制御動作を示すフローチャートである。
【発明を実施するための形態】
【００３９】
以下、添付の図１〜図２１、図２２の図面を参照して、この出願の発明を実施するための幾つかの実施の形態に係る電気炊飯器の構成および作用について詳細に説明する。
（１）第１の実施の形態について
まず図１〜図８には、この出願の発明の第１の実施の形態に係る電気炊飯器の炊飯器本体部分および同本体に関連する要部の構成が、また、図９〜図１６には、同電気炊飯器の炊飯器本体部分に使用されている人感センサの構成及び基板上への設置状態が、また、図１７〜図１９には、同電気炊飯器の炊飯器本体部分に使用されている傾斜センサの基板上への設置状態および内部構成並びに作動原理が、また図２０には、人感センサおよび傾斜センサを用いたマイコン制御ユニットの制御システムの構成が、さらに図２１には、同図２０の制御システムを利用した操作パネルの操作待機状態における制御動作が、それぞれ示されている。
＜電気炊飯器本体部分の構成について＞
この出願の発明を実施するための第１の実施の形態にかかる電気炊飯器は、その構成上の特徴として、操作パネルの操作スイッチ部分がタッチキーを備えた静電容量方式のタッチスイッチによって構成されているとともに、同タッチスイッチのタッチキー部分を下方から発光ダイオード（ＬＥＤ）によって照明することにより表示するようになっており、また、それらタッチスイッチを操作しようとしているユーザーの存在を検出する人感センサを有するとともに、それらタッチスイッチおよび発光ダイオードへの通電状態をコントロールするコントロール手段が設けられており、ユーザーが操作パネルに対応した所定の検出対応エリアに所定時間以上いない場合には、同タッチスイッチおよび発光ダイオードを非通電状態に制御して、上記タッチスイッチの操作入力機能や発光ダイオードの照明機能をそれぞれＯＦＦにすることによって、可能な限り消費電力を低減するようになっている。
他方、同非通電状態において、ユーザーが上記操作パネルに対応した所定の検出対応エリアにいることを上記人感センサが検出した場合には、同タッチスイッチおよび発光ダイオードを通電状態に復帰させ、上記タッチスイッチの操作入力機能や発光ダイオードの照明機能を復活させて、炊飯情報や保温情報などの制御入力の設定操作を可能とするようになっている。
【００４０】
まず、この出願の発明の実施の形態にかかる電気炊飯器における炊飯器本体は、たとえば図１〜図６に示すように、米および水を収容するセラミック材からなる有底筒状の内釜３（たとえば土鍋等のセラミック製の内釜）と、該内釜３の底部３ａから側部３ｃ部分までを覆う同じくセラミック材からなる有底筒状の外釜６と、底部側に同外釜６を設けるとともに、同外釜６を介して上記内釜３を任意に収納セットする内釜収納溝５を形成している保護枠（内ケース）４と、該保護枠４を収容保持する保護枠収容空間を備えた本体ケース１と、該本体ケース１の上記内釜収納溝５の開口部５ａ後端側に設けられ、同開口部５ａを開閉する蓋体２とから構成されている。
【００４１】
上記本体ケース１は、合成樹脂製の側部側筒状の外ケース１ａと同じく合成樹脂製の底部側皿状の底ケース１ｂとからなり、上記外ケース１ａの上端部の内側に後述する合成樹脂製の肩部材８が設けられ、該肩部材８を介して上記内釜収納溝５を形成する保護枠４を連結支持している。肩部材８の外周側断面逆Ｕ字状の縁部８４は、上記外ケース１ａ上端側の断面鉤状の係合縁部１０に冠合する形で周方向の全体に亘って係合されている。
【００４２】
保護枠４は、それぞれ合成樹脂成型された相互に別体の第１の保護枠ユニット（下部ユニット）４Ａと第２の保護枠ユニット（上部ユニット）４Ｂとの上下２つの筐体部材からなり、下部側の筐体を構成する第１の保護枠ユニット４Ａの上部に上部側の筐体を構成する第２の保護枠ユニット４Ｂを積層して一体に構成されている。
【００４３】
まず、下部側の筐体を構成する第１の保護枠ユニット４Ａは、所定の半径のフラットな円形面よりなる底部４１ａと、該底部４１ａの外周から次第に径を拡大させながら所定の高さ上方に延びる彎曲部４１ｂと、該彎曲部４１ｂの上縁部に半径方向外方に所定寸法拡大して形成された断面鉤状の段部４１ｃと、該段部４１ｃの外周部から略垂直に立ち上がり、所定の高さの筒状壁を形成した支持壁部４１ｄとからなっている。そして、この第１の保護枠ユニット４Ａ部分は、その底部４１ａおよび彎曲部４１ｂ部分を、後述する下方側コイル台９によって支持されている。
【００４４】
次に、上部側の筐体を構成する第２の保護枠ユニット４Ｂは、半径方向外方に開放した断面コの字型をした所定上下幅の筒状壁４２ｂを中心とし、その下端側に上記第１の保護枠ユニット４Ａの支持壁４１ｄ上への載置部４２ａが、また、その上端側に所定寸法半径方向外方に拡大された鉤状の係合段部４２ｄが設けられている。該第２の保護枠ユニット４２Ｂの上記筒状壁４２ｂ外周面のリブ４２ｃで仕切られた上部部分（略上部１／２部分）は、後述する第３のワークコイルＣ３の設置面（巻成面）に形成されており、該ワークコイル設置面に内外２層状態に巻成された第３のワークコイルＣ３が設置されている。
【００４５】
なお、この第３のワークコイルＣ３の設置面を上記筒状壁４２ｂの上下幅全体ではなく、例えば上部１／２部分としたのは、それにより少しでも上記下部側第１の保護枠ユニット４Ａ側の第２のワークコイルＣ２との距離を拡大して、相互の誘導干渉を回避するためである。
【００４６】
そして、上記第１、第２の保護枠ユニット４Ａ，４Ｂを図３、図４のように上下に積層一体化することによって、全体として有底の筒状体構造に形成された保護枠４の底部上面側（第１の保護枠ユニット４Ａの底部４１ａおよび彎曲部４１ｂの上面側）には、さらに上記セラミック材よりなる外釜６の底部６ａおよび彎曲部６ｂが半径方向に部分的に配設された所定の厚さの接着剤部分（図示省略）を介して、かつ接着剤の無い部分に所定の断熱空気層を保った状態で貼設されており、このセラミック製の外釜６の上部に、たとえば図４に示すように、円形のフラットな底部３ａ、アール面上の彎曲部３ｂの各々に銀ペースト又は銀溶射よりなる第１、第２の誘導発熱体Ｇ１，Ｇ２を設けたセラミック製の内釜３の同円形の底部３ａおよびその外周のアール面上の彎曲部３ｂが所定の隙間Ｓを保った状態で収納されるようになっている。
【００４７】
そして、それにより同収納状態においては、たとえば図３、図４に示すように、該内釜３の側部３ｃの上部部分まで、その側部６ｃの上端が長く延設された上記セラミック製の外釜６により、当該内釜３の底部３ａから側部３ｃ付近までが十分に覆われるようになっている。
【００４８】
ところで、この実施の形態の外釜６は、全体として椀形の構造をなし、そのフラットな円形の底部６ａ中央には上記第１の保護枠ユニット４Ａ中央のセンターセンサ嵌装穴１０ａに対応するセンターセンサのセンサ部嵌挿穴６ｅが設けられており、上記センターセンサ嵌装穴１０ａに嵌装されたセンターセンサＣＳ上部のセンサ部が昇降可能に遊嵌状態で嵌挿されているとともに、その半径方向外周側には周方向に所定の間隔を置いて、内釜３の高台部３ｅを支持するシリコンゴム等の耐熱性弾性部材よりなる高台部支持部材６１，６１・・を嵌装する高台部支持部材嵌装孔６ｆ，６ｆ・・が設けられている。また、それよりも外周側上部の彎曲部６ｂの外周寄り部分にも周方向に所定の間隔を置いて、内釜３の彎曲部３ｂの外周を支持する同じくシリコンゴム等の耐熱性弾性部材よりなるセンタリング支持部材６２，６２・・を嵌装するセンタリング支持部材嵌装孔６ｇ，６ｇ・・が設けられている。
【００４９】
そして、それらの各嵌装孔６ｆ，６ｆ・・、６ｇ，６ｇ・・内にシリコンゴム等の耐熱性が高く、所定の弾性がある高台部支持部材６１，６１・・、センタリング支持部材６２，６２・・がそれぞれ嵌装固定され、上記内釜３の底部３ａおよび彎曲部３ｂが支持されるが、上記高台部支持部材６１，６１・・部分は、上記下部側第１の保護枠ユニット４Ａのポケット部Ｐ，Ｐ・・との間で安定した固定状態に支持され、その上部に内釜３の底部３ａ外周の高台部３ｅ部分が上方から下方に当接する状態で載せられ、後述するように、フローティング支持機構を介して昇降可能に弾性支持されている保護枠４および外釜６が内釜３の重量に応じて下降すると、当該内釜３の開口部３ｄの外周側フランジ部Ｆが後述する肩部材８の内縁８２部分上に耐熱支持部材を介して係合され、内釜３が周方向の全体に亘って均一に吊設されるようになり、上記保護枠４側第１、第２のワークコイルＣ１、Ｃ２と第１、第２の誘導発熱部Ｇ１、Ｇ２が適正な位置関係で、かつ適正な誘導ギャップを介して対向するようになるとともに、上記外釜６との間に適切な所定の隙間（蓄熱・対流空間）Ｓを保った状態で支持される。
【００５０】
また、同時に、上記第３のワークコイルＣ３によって誘導発熱される外釜６の側部６ｃ内周面の第３の誘導発熱部Ｇ３と内釜３の側部６ｃ部分との対向位置および対応距離も適正な設計位置および設計距離に維持される。
【００５１】
一方、上記彎曲部外周側のセンタリング支持部材６２，６２・・は、そのように収納後に外釜６を介して内釜３を保護枠４内に適切な位置関係で支持するだけでなく、収納時において収納される内釜３の彎曲部３ｂの外周を正確な位置関係で収納されるように全周においてガイドし、適正にセンタリングする機能を果たすようになっている。
【００５２】
また、上記高台部支持部材６１，６１・・、センタリング支持部材６２，６２・・の外釜６の内方側への突出寸法は、上記のように内釜３が保護枠４内に適正な位置関係で収納セットされた図３、図４の状態において、内釜３の外周面と外釜６の内周面との間に適切な隙間Ｓを形成する寸法に設定されている。
【００５３】
これらの結果、上記図３、図４に示す内釜３の収納状態では、内釜３の底部３ａおよび彎曲部３ｂは、第１、第２の誘導発熱部Ｇ１、Ｇ２の発熱により加熱されて局部的に高温になり、やがて同高温の熱が同底部３ａおよび彎曲部３ｂ側から上方の側部３ｃ側に壁内部を通して徐々に伝導されてゆき、誘導発熱部が設けられていない側部３ｃ側の温度も次第に上昇する。
【００５４】
そして、以上の構成では、それに加えて、内釜３が収納される保護枠４の内側に同じくセラミック製の外釜６が設けられており、第１、第２の誘導発熱部Ｇ１、Ｇ２を有する内釜３の外周が該セラミック製の外釜６によって覆われることになり、内釜３の底部３ａ、彎曲部３ｂの誘導発熱部Ｇ１、Ｇ２および同誘導発熱部Ｇ１、Ｇ２付近から外方に放射される熱は同セラミック製の外釜６により遮断され、同内釜３底部３ａの誘導発熱部Ｇ１、彎曲部３ｂの誘導発熱部Ｇ２、およびそれら付近から外方に放射された放射熱が内釜３の外周を大きく包み込む形で内釜３自体を加熱し、同熱が上記外釜６と内釜３相互の対向面部およびそれらの間の隙間Ｓ部分に蓄熱されるとともに、同蓄熱状態において加温された高温の空気が対流により上記隙間Ｓを通して上記内釜３の底部３ａ、彎曲部３ｂの外周面側から側部３ｃの外周面側に上昇し、内釜３外周面の全体を加熱、加温するようになる。
【００５５】
これらの結果、上記内釜３は、その底部３ａ、彎曲部３ｂ側から側部３ｃの全体に亘って比較的速やかに高温になり、その熱量を有効に蓄える。したがって、第１、第２の誘導発熱部Ｇ１、Ｇ２における発熱量を有効に利用することができるようになる。
【００５６】
さらに、この実施の形態の構成の場合、その場合において、上記外釜６の側部内周面に第３の誘導発熱部Ｇ３が設けられているとともに、該第３の誘導発熱部Ｇ３に対応する上記保護枠４の側壁部外周に該第３の誘導発熱部Ｇ３を誘導発熱させる電磁誘導手段である第３のワークコイルＣ３が設けられており、上記外釜６の側部６ｃ自体を、その内周面側から加熱するようになっている。
【００５７】
したがって、上記セラミック製の外釜６は、単に上記内釜３の底部３ａ側外周を覆って熱を逃がさないようにするだけでなく、それ自体が加熱されて高温になり、同高温状態の外釜６からの放射熱が僅かな隙間Ｓを置いた至近距離で内側の内釜３を積極的に加熱するようになり、内釜３は底部側だけでなく、従来加熱不足であった側部３ｃを含む全体が効果的に加熱、昇温されるようになる。この場合、第３のワークコイルＣ３と第３の誘導発熱部Ｇ３の距離が近いことから、第３のワークコイルＣ３による第３の誘導発熱部の誘導効率も高く、ノイズも発生しにくい。
【００５８】
しかも、同内釜３の側部３ｃ部分の加熱は、例えば内釜３の側部３ｃ部分に直接誘導発熱部を設けて加熱する場合と異なり、至近距離ではあるが、外釜６側から所定の隙間（熱拡散空間）Ｓを介した間接加熱となり、また外釜６の側部６ｃ全体からの放射熱によって内釜３が加熱されるので、加熱状態が均一となり、内釜３の側部３ｃ等に直接誘導発熱部を設けて加熱する場合のような局部加熱による焦げ付きを発生させる恐れもなくなる。
【００５９】
しかも、この実施の形態の場合、上記外釜６の側部６ｃは内釜３の側部３ｃの上部付近まで高く延設され、該高く延設された側部６ｃの内周面に位置して第３の誘導発熱部Ｇ３が設けられ、該第３の誘導発熱部Ｇ３に対応する保護枠４の側壁部外周に該第３の誘導発熱部Ｇ３を誘導発熱させる第３のワークコイルＣ３が設けられている。
【００６０】
したがって、セラミック製の外釜６は、その内釜３の側部３ｃ上部に対応する位置まで延設された側部６ｃの内周面が効率良く加熱されて高温になり、同高温部が従来加熱不足であった内釜３の側部３ｃ上部部分をも効果的に加熱するようになり、内釜３はその側部３ｃおよびその上部部分を含む全体が効果的に加熱、昇温されるようになり、内釜３内のご飯上部の空間部が竈の場合と同様の高温状態（１２０℃近く）に維持されるようになる。
【００６１】
この場合、上記第３の誘導発熱部Ｇ３が設けられる上記外釜６の側部６ｃが延設される内釜３の側部３ｃの上部位置は、たとえば当該電気炊飯器の定格炊飯容量から決まる炊き上げ完了後のご飯の上部位置付近（吸水時における水の位置よりも上方位置）に対応するものとされる。そのようにした場合、当該電気炊飯器の定格炊飯容量から決まる炊き上げ完了後のご飯およびその上部空間位置に、竈の場合と同様の適切で十分な量の熱を適切に作用させることが可能となり、焦げ付きを生じさせることなく、炊きむらをなくして、より美味しいご飯を炊き上げることが可能となる。
＜保護枠のフローティング支持構造について＞
上記のように、この実施の形態における保護枠４は、第１、第２の保護枠ユニット４Ａ、４Ｂを上下に一体化して構成されているが、上記第１の保護枠ユニット４ａは、例えばコイルスプリングを備えたフローティング支持機構を介して、上述の底ケース１ｂ上にフローティング支持されており、所定の上下寸法範囲で昇降可能となっている。
【００６２】
他方、上記第２の保護枠ユニット４Ｂも、同第１の保護枠ユニット４Ａの上部に載った図３、図４の状態で同様に昇降する。これらの結果、上記第１、第２の保護枠ユニット４Ａ、４Ｂよりなる有底筒状の保護枠４内に収納設置された椀形状の外釜６も上記第１、第２の保護枠ユニット４Ａ、４Ｂとともに同様に昇降する（図４中の矢印参照）。
【００６３】
したがって、該外釜６の上に高台部支持部材６１，６１・・、センタリング支持部材６２，６２・・を介して水および米の入った内釜３が収納されると、同内釜３の重量に応じて、上記保護枠４および外釜６が内釜３とともに所定寸法下降し、内釜3の開口部３ｄ外端のフランジ部Ｆの下面が、内釜収納溝5の開口部５ａを形成している肩部材８の内周縁部８２上の耐熱支持部材部分に当接し、同部分に吊設された状態で支持される。
【００６４】
この結果、この実施の形態の場合、底部側に第１、第２の誘導発熱部Ｇ１、Ｇ２を備えた上記内釜３は、第１、第２のワークコイルＣ1、Ｃ２を備えた第１の保護枠ユニット４Ａの第１、第２のワークコイルＣ1、Ｃ２、第３のワークコイルＣ３を備えた第２の保護枠ユニット４Ｂの第３のワークコイルＣ３、第３の誘導発熱部Ｇ３を備えた外釜６の第３の誘導発熱部Ｇ３に対して、それぞれ適切な位置、および寸法関係でセットされることになる。
【００６５】
この時、上記高台部支持部材６１，６１・・やセンタリング支持部材６２，６２・・が外釜６と内釜３との間の適正な隙間Ｓを設定すること、またセンタリング支持部材６２，６２・・が収納時の内釜３のセンタリング機能を果たすことなどは、すでに述べたとおりである。
＜昇降用隙間のシール構造について＞
ところで、上記のように保護枠４および外釜6を炊飯器本体に対してフローティング構造とし、肩部材８と外釜６の側部６ｃの上端６ｄとの間に昇降空間Ｄを形成すると、同昇降空間Ｄから内釜３と外釜６との間の熱が外部に逃げるし、また内釜３の外周についた水などが侵入する恐れもあり、さらには内釜収納溝５の見栄えが悪くなる等の問題がある。
【００６６】
そこで、この実施の形態では、同昇降空間Ｄ上部側の、上述した肩部材８に対する肩ヒータ枠３１、肩ヒータカバー３０連結補強用の金属プレート３２、３２の内周縁側に、それらを組み付けた後において、たとえば図３、図４に示すように、下方側外釜６の側部６ｃ上端６ｄの内周面側（開口部内周面側）に所定寸法延設されて、当該肩部材８と外釜６の側部６ｃ上端６ｄとの間の昇降空間Ｄを周方向の全体に亘って内外方向にシールするスカート状の摺動パッキン３５が取り付けられており、保護枠４および外釜６の上方側に、肩部材８、肩ヒータ枠３１、肩ヒータカバー３１、摺動パッキン３５、金属プレート３２、３２が相互に重合されて連結一体化された時に、同摺動パッキン３５のスカート部（シール用の縁部）３５ｂが外釜６の側部６ｃの上端６ｄの内周面に摺動可能に内接するようになっている。
【００６７】
このパッキン３５は、上記スカート部３５ｂの上部側に金属プレート３２、３２と肩ヒータカバー３０との間に挟まれて固定される固定部３５ａが設けられており、この固定部３５ａを利用して図３のように取り付けられる。
いる。
＜肩部における肩ヒータの設置について＞
以上のように、この実施の形態の炊飯器本体における内釜収納溝５の開口部５ａは、図３〜図５から明らかなように、本体外ケース１ａの上端部１ｃの内周縁側に嵌合固定される肩部材８と、この肩部材8の内周部内側に、下方側から金属プレート３２、３２、パッキン３５を介して連結固定される肩ヒータカバー３０および肩ヒータ枠３１とからなっているが、そのうちの肩ヒータ枠３１は、半径方向外側に開放した断面コの字形の構造をしており、その外周面には例えばコードヒータよりなる肩ヒータＨが全周に亘って設けられている。そして、同肩ヒータＨが発熱すると、たとえば図３、図４に示すように、内釜収納溝５内への収納状態において隣接対応する内釜３の開口部３ｄにおける半径方向内方に厚肉のヒートキープ部ＨＫの下部部分を効率良く加熱し、同部分における露の発生を防止して、ご飯の白ボケ等の発生を防止する。
＜コイル台の構成について＞
他方、上記のように構成された保護枠４の下方側（第１の保護枠ユニット４Ａの下方側）には、同保護枠４の底部を支持する合成樹脂製の皿状のコイル台９が設けられている。このコイル台９には、たとえば図６に示されるように、その周方向４方の上面側に位置して、上記第1の保護枠ユニット４Ａ外周面側の第１、第２のワークコイルＣ１、Ｃ２に対応して半径方向に延びるフェライトコア収納溝９ａ，９ａ・・が設けられ、このフェライトコア収納溝９ａ，９ａ・・内に同第1の保護枠ユニット４Ａ側の第1、第2のワークコイルＣ１、Ｃ２用の4本のフェライトコア７０，７０・・が収納されている。そして、同フェライトコア７０，７０・・を収納したフェライトコア収納溝９ａ，９ａ・・の上面によって、第１，第２のワークコイルＣ１，Ｃ２が４方で支持されている。そして、その上で、上記第１の保護枠ユニット４Ａとコイル台９は、外周側の連結部を利用して相互に連結固定される。
【００６８】
また、このコイル台９の下部外周側には、上記フェライトコア収納溝９ａ，９ａ・・位置に対応して、4本の脚部９ｂ，９ｂ・・が下方に向けて設けられており、同脚部９ｂ，９ｂ・・部分が上記底ケース１ｂ上に設けられているフローティング支持機構６３、６３・・により支持されるようになっている。また、同コイル台９の中央部には、上記第1の保護枠ユニット４Ａ側のセンターセンサ嵌装穴１０ａと同心状に貫通したセンタ−センサ本体嵌装口９ｃが設けられており、該センタ−センサ本体嵌装口９ｃを介して上下方向に昇降自在な状態で、かつ常時コイルスプリングにより上方に上昇付勢された状態でサーミスタ等の内鍋温度検知センサよりなるセンターセンサＣＳが下方から上方に向けて嵌装設置されている。
＜蓋体の構成について＞
一方、上記炊飯器本体の内釜収納溝５の開口部５ａを覆う蓋体２は、たとえば図１、図２、図３、図７に示すように、その上部側外周面を構成するＡＢＳ樹脂などよりなる銘板本体２０と、上面側前部に銘板本体２０の支持面部およびマイコン基板等設置用凹部２１ａを有し、周壁部２１ｂを含めて蓋体２の中心的な筐体部を構成している合成樹脂製の上板２１と、該上板２１の内側（下側）に設けられた同じく合成樹脂製の下板２２と、該下板２２の本体部２２ａの中央部外周側下面の凹部２２ｂ部分にゴム製の第１のパッキン２５を介して下方側から嵌合固定されている蓋ヒータ（図示省略）を有する金属製の放熱板２３と、該放熱板２３の下方に設けられ、その外周縁部分に合成樹脂製の着脱可能な枠部材２７を介してゴム製の第２のパッキン１４が取り付けられた金属製の内カバー２４とから形成されている。
【００６９】
内カバー２４の外周側パッキン１４部分は、上記のように、下板２２の中央部外周側に設けられた内カバー嵌合用凹部２２ｂ部分に下方側から着脱可能に嵌合して取り付けられている。また、下板２２の外周側縁部２２ｃ部分は、上記上板２１の所定上下幅の周壁２１ｃ部分の下端側内周面部分に係合されている。
【００７０】
ところで、耐圧力強度を高めるために、上記中心となる下板２２の本体部分２２ａの後端部外周側部分を連結片、ネジ等を介してヒンジユニット１１側の連結片に係止しているとともに、同下板２２の本体部２２ａの上面には、所定の板厚、所定の構造の金属製の補強板および多数の補強リブを左右および前後に亘って設けることにより、当該蓋体２の全体を高強度の構造体に形成するようにしている。
【００７１】
すなわち、上記下板２２は、その本体部２２ａ後端側外周の中間部分が上方に向けてコ字状に曲成され、内側に前述したヒンジユニット１１を収納しているとともに、その外周端側下降部は同ヒンジユニット１１をカバーしている。
【００７２】
そして、これら下板２２の本体部２２ａの後端側外周を取り付け用のブラケットとして、上記蓋体２は、その後端側を、上記炊飯器本体上部の肩部材８に対してヒンジユニット１１を介して回動自在に取付けられ、その開放端側（前端側）には、上記蓋体２の所定位置に係合して該蓋体２の上下方向への開閉を行うロックおよびロック解除機構１３が設けられている。
【００７３】
さらに、上記上板２１の上記銘板支持面部を形成している上面部外周２１ｂは、たとえば図３、図７に示すように、上部から下方側に次第に外径を拡大した彎曲面となっており、その下端側は、上述した周壁部２１ｃの上端側に、銘板嵌合溝（Ｕ状溝）を介して連結一体化されている。そして、図２および図３のような操作パネル６０面および液晶パネル６０Ａに対応した透明窓６０ｃ部分を形成している銘板本体２０は、それら上板２１各部の支持面形状に対応した形状に成形されており、たとえば図３、図７に示すように、上記上板２１外周の銘板嵌合溝を利用して略面一状態に冠合一体化されている。そして、同銘板本体２０の上面には、さらに防水および防護用の例えばＰＥＴ樹脂製の防水カバー８０が貼設（重合）され、これら両者によって、いわゆる銘板が構成されている。
【００７４】
なお、上記銘板本体２０は、後に述べるように、後端側蒸気ユニット５１部分から前端側方向にかけて、次第に高さが低くなる下降傾斜状態にして設けられており、銘板本体２０の支持面部を構成している上板２１の支持面構造も、それに対応した前端側への下降傾斜面構造となっている（図８参照）。
【００７５】
また、銘板本体２０上面の防水カバー８０は、例えば半透明体又は有色の透明体により形成されていて、赤外線は通すが、銘板本体２０に形成される後述する第１の受光用開口２０ｃを通して蓋体内が見えることがないように構成されている。
＜蓋体部分における圧力調節機構の構成について＞
この実施の形態では、一例として圧力型電気炊飯器に適用した場合について示しており、上記蓋体２の略中央部には、お粘成分を回収しながら蒸気のみを外部に逃がすとともに炊飯工程に応じて上記内釜３内の圧力を複数の段階に調節する第１、第２の調圧ユニット２６Ａ、２６Ｂが設けられている（第２の調圧ユニット２６Ｂについては、図面上現れないので省略している）。
【００７６】
これら第１、第２の調圧ユニット２６Ａ、２６Ｂは、たとえば上記内釜３内から外部に向けて迂回する蒸気逃し通路５０，５０ａ〜５０ｃと同蒸気逃し通路５０，５０ａ〜５０ｃに設けた圧力調整機構により構成されている。各圧力調整機構は、第１、第２のソレノイドコイルＳＬ１、ＳＬ２を備えて構成されている（図示省略）。これら第１、第２のソレノイドコイルＳＬ１、ＳＬ２は、図２０に示されるように、後述する第１のマイコン制御ユニット（主マイコン）１００Ａによって制御されるソレノイドコイル駆動回路１１１によって駆動されるようになっている。
＜蓋体上面の操作パネルおよび表示パネル部分の構成について＞
図１〜図３中の符号６０が操作パネルであり、この操作パネル６０は、上述した銘板本体２０を利用して構成されており、その前部部分のパネル部裏側には所定の深さの基板および液晶パネル収納ボックスを備えており、炊飯および保温制御手段としてのマイコンを備えたマイコン基板６０Ｂおよび液晶パネル（ＬＣＤ）６０Ａが上記上板２１の開口部および上板２１の凹溝部内に嵌合して収納されている（図７参照）。
【００７７】
そして、その中央部には液晶パネル６０Ａの表示面に対応する透明窓６０Ｃを有するとともに、同透明窓６０Ｃの周囲に、タイマー炊飯用の炊飯予約スイッチＳＷ１、炊飯スイッチＳＷ２、取消スイッチＳＷ３、火かげん選択スイッチＳＷ４、炊飯メニュー（例えば白米、早炊き、おこわ、おかゆ、玄米その他のコースメニュー）を選択するメニュー選択スイッチＳＷ５（もどる），ＳＷ６（すすむ）、音声ガイドスイッチＳＷ７、保温選択スイッチＳＷ８、時計及びタイマーの時刻時設定スイッチＳＷ９・分設定スイッチＳＷ１０、仕上がりスイッチＳＷ１１の各種操作スイッチが設けられている。この実施の形態の場合、上記操作パネル６０には、静電容量方式のタッチパネルが採用されており、上記タイマー炊飯用の炊飯予約スイッチＳＷ１、炊飯スイッチＳＷ２、取消スイッチＳＷ３、火かげん選択スイッチＳＷ４、メニュー選択スイッチＳＷ５（もどる），ＳＷ６（すすむ）、音声ガイドスイッチＳＷ７、保温選択スイッチＳＷ８、時計及びタイマーの時刻時設定スイッチＳＷ９・分設定スイッチＳＷ１０、仕上がりスイッチＳＷ１１の各種操作スイッチは、それぞれタッチキー（タッチ電極）とタッチセンサよりなるタッチスイッチにより構成されており、タッチキーと人体との間に発生する浮遊容量をタッチセンサにより測定することにより、タッチキーの操作を感知するようになっている。そして、それら各タッチキーの下方には、図示はしないが、同タッチキーの操作面部分（文字表示部分）を図２のように明るく明瞭に表示するための発光ダイオード（ＬＥＤ）Ｌ１〜Ｌ１１（図１、図２では図示を省略：図２０の回路図を参照）が設けられている（なお、図１は同発光ダイオードＬ１〜Ｌ１１の消灯状態を示しているので、タッチキーの外形および文字表示が見えないが、同発光ダイオードＬ１〜Ｌ１１が点灯すると図２のようになり、タッチキーの外形および文字表示が明瞭に表示され、操作しやすくなる）。
【００７８】
この場合、上記炊飯予約スイッチＳＷ１、炊飯スイッチＳＷ２、保温選択スイッチＳＷ８、取消スイッチＳＷ３、音声ガイドＳＷ７の５つについては、それぞれその中央部分に１個の発光ダイオードしか設けていないが、たとえばメニュー選択スイッチＳＷ５（もどる）・ＳＷ６（すすむ）と時計及びタイマーの時刻時設定スイッチＳＷ９・分設定スイッチＳＷ１０では、それらＳＷ５とＳＷ６との間、ＳＷ９とＳＷ１０との間の「・」部分にも独立に発光ダイオードＬ１２、Ｌ１３を設けて表示するようにしている。また、火加減スイッチＳＷ４および仕上がりスイッチＳＷ１１の場合には、それぞれその設定レベルを示す複数組（３組）の発光ダイオードＬ１４〜Ｌ１６、Ｌ１７〜Ｌ１９が設けられている。
【００７９】
なお、上記液晶パネル６０Ａには、さらにバックライト用の発光ダイオードＬ２０〜Ｌ２４が設けられている。
【００８０】
この実施の形態の場合、以下に述べるように、上記マイコン基板６０Bには、操作対応位置等所定の対応エリア内にユーザーが居ることを検出する例えば焦電型センサよりなる人感センサＭＳが設けられており、待機状態、非待機状態、その他、炊飯器動作状態の如何にかかわらず、例えば炊飯中、タイマー予約中、保温中などの制御入力設定後の待機状態を除く操作待機状態においては、ユーザーが操作対応位置等所定の対応エリア内にいない場合には（人感センサＭＳが所定時間以上ユーザーの存在を検出しない場合には）、上記操作スイッチＳＷ１〜ＳＷ１１のタッチキー、タッチセンサ、発光ダイオードＬ１〜Ｌ１９、液晶パネル６０Ａの発光ダイオードＬ２０〜Ｌ２４等を後述するＷＡＩＴモード（省エネモード）に制御して、液晶パネルの表示機能や照明機能に加えて、上記操作スイッチＳＷ１〜ＳＷ１１の操作機能や照明機能をそれぞれＯＦＦにすることによって、可能な限り消費電力を低減するように構成されている。この結果、同省エネ状態では、上記防水カバー８０が例えば黒色の半透明体又は有色透明体よりなっていることと相俟って、例えば図１のように、当該電気炊飯器本体の蓋体２の上面は「不透明なスモーク状態」となり、次に述べる人感センサＭＳの受光用凹レンズ部８０a部分を除いて何も見えない状態となる。
【００８１】
もちろん、この場合において、「炊飯中」、「タイマー予約中」、「保温中」などの操作待機状態以外での必要な表示は行われる。
＜蓋体部分における人感センサの構成とその設置構造について＞
この実施の形態の場合、例えば図１、図２および図７、図８に示すように、蓋体２の前部左寄り部分に上述の人感センサ（モーションセンサ）ＭＳが設けられている。この人感センサＭＳは、例えば図９〜図１２に示すような構成を有し、操作設定又は操作設定状態の確認、炊飯状態や保温状態、時計表示の確認などで、ユーザーが当該電気炊飯器本体の正面側操作対応位置に近づき、その上半身（例えば肩部や顔、手など）が操作パネル部６０上に来たことを検出する人検知センサとして機能するように構成されている。
【００８２】
すなわち、該人感センサＭＳは、受光レンズ９１を備えて外部からの赤外光を集光する受光部９０ａおよび該受光部９０aで集光された赤外光を受光して電気信号を出力する受光回路部（センサ本体部）９０ｂよりなり、受光部９０ａの受光レンズ（フレネルレンズ）９１を通して入射する赤外光を赤外フィルタ９２に通すことによって予め設定された帯域のものにセレクトしたうえで、受光回路部９０ｂ中の焦電素子９３部分に集め、該焦電素子９３部分から出力される受光量に応じた電圧信号をＦＥＴ９６によりインピーダンス変換し、所定の電圧レベルに増幅した上で出力するようになっている。
【００８３】
この実施の形態の場合、上記焦電素子９３は、例えば図９〜図１１に示すように、圧電セラミックスの一種である焦電セラミックスよりなる所定の長さの長方形上の焦電電極９３a、９３ｂを相互に平行な状態で並設して構成されており、これら相互に平行な一対の焦電電極９３a、９３ｂにより、それぞれ入射する赤外光の光源までの距離を検知し、所定の時間内における各々の検知距離の差の変化によりユーザーの動きを検知して、ユーザーがいるか居ないかを判定するようになっている。
【００８４】
焦電電極９３ａ、９３ｂは、例えば図１２に示すように、相互に逆極性となる形で直列に接続されており、その出力側にはソースフォロア回路を構成する形でインピーダンス変換用（増幅用）のＦＥＴ９６のゲート部が接続されている。そして、それにより本質的に高インピーダンスである焦電電極９３a、９３ｂのインピーダンスを有効に低減し、有効な電圧レベルのセンサ信号Ｖｐｐを出力できるようにしている。
【００８５】
Ｒｇは焦電電極９３ａ、９３ｂの焦電セラミックス部分の抵抗値、またＲｓはＦＥＴ９６のソース部とＧｎｄ間に接続されたソース抵抗、ＶｃｃはＦＥＴ９６のドレイン部に印加されているドレイン電圧を示している。
【００８６】
焦電電極９３ａ、９３ｂに赤外光が入射し、焦電電極９３ａ、９３ｂの焦電セラミックス部分の温度が上がると、自発分極が生じ、その表面に温度上昇量に応じた電荷が発生する（焦電効果）。そして、この電荷による電流ｉが上記焦電セラミックス部分の抵抗Ｒｇに流れ、該抵抗Ｒｇの両端にＦＥＴ９６のドレインおよびソース間を流れるドレイン電流Ｉｄの値をコントロールすることができるゲート電圧Ｒｇ・ｉが発生する。
【００８７】
そして、このゲート電圧Ｒｇ・ｉによりＦＥＴ９６のドレインおよびソース間の導通状態が制御され、同ゲート電圧Ｒｇ・ｉの大きさに応じたドレイン電流ＩｄがＦＥＴ９６のドレイン側からソース側に流れ、さらに同ドレイン電流Ｉｄがソース抵抗Ｒｓを流れる。その結果、ソース抵抗Ｒｓの両端には、例えば図１８の（Ｌ）または（Ｒ）に示すようにＩｄ・Ｒｓの出力電圧Ｖｐｐが生じ、これが人感センサＭＳのセンサ信号となる。このセンサ信号Ｖｐｐの電圧レベルは、上記ＦＥＴ９６のゲート側の焦電電極９３ａ、９３ｂ部分の抵抗Ｒｇの両端に生じるゲート電圧Ｒｇ・ｉの大きさ、すなわち焦電電極９３ａ、９３ｂに入射する赤外光の光量に応じて焦電セラミックス部分に生じる電流ｉの大きさに応じたものとなる。
【００８８】
そして、それら相互に平行な一対の焦電電極９３a、９３ｂ各々への入射光量に応じたセンサ信号Ｖｐｐにより、それぞれに入射する赤外光の光源までの距離を検知し、所定の時間内における各々の検知距離の差が変化したかしないかによりユーザーの動き（モーション）を検知して、上記炊飯器本体に対応した所定の対応位置にユーザーがいるか居ないかを判定するようになっている。この所定の対応位置にユーザーが居るか居ないかの判定は、例えば図２０に示すように、上記センサ信号Ｖｐｐをマイコン基板６０B側のマイコン制御ユニット１００に入力することによって自動的になされる。
【００８９】
そして、ユーザーが同所定の対応位置に居ることが判定されると、当該マイコン制御ユニット１００は、操作基板回路への電源の供給状態を制御する操作基板回路制御手段１１１、操作スイッチ照明用のＬＥＤ駆動手段１１４等を作動させて、非通電状態（省エネモード）にあった操作パネル部６０の操作基板回路に電源を供給し、さらに各種操作スイッチＳＷ１〜ＳＷ９の操作による炊飯又は保温機能の操作設定、取り消し、変更等の操作機能、それら各操作スイッチＳＷ１〜ＳＷ９の照明による表示を可能とし、また液晶パネル駆動制御手段１１２を作動させることによって、ユーザーが所定の対応位置に居ないときには消灯状態にあった液晶パネル６０Ａのバックライトを点灯させるとともに、ユーザーが居ないときには非表示状態にあった液晶パネル６０Ａの情報を表示する。
【００９０】
この結果、それまでは図１のようなマスキング状態（不透明状態）にあった蓋体２の上面の操作パネル６０部分の各操作スイッチや液晶パネル部分が、例えば図２に示すように明るく明瞭に照明、表示された状態となる。他方、ユーザーが居ないと判定された場合には、これと逆の制御になる。
【００９１】
これにより、ユーザーは、透明窓６０ｃを通して、明るく照明、表示された液晶パネル６０Ａの表示情報を見ながら、操作パネル６０の各操作スイッチＳＷ１〜ＳＷ９を操作して適切な炊飯または保温機能の操作設定、取り消し、変更が可能となる。また、タイマー予約時の炊飯待機状態における操作設定状態の確認、炊飯中における炊飯状態や保温中における保温状態、時計表示等の確認も可能となる。なお、図２４中の符号１１５は、ワークコイル等の加熱出力制御手段である。
【００９２】
しかも、それらの各々が、単にユーザーが電気炊飯器本体に近づくだけで自動的に実現され、操作キーのＯＮ操作等何らのマニュアル操作を必要としないので、非常に便利である。
【００９３】
また、このような構成の場合、従来のような単なる待機状態のみに限られず、要するにユーザーが電気炊飯器のそばにおらず、操作も表示も必要がない場合には、時計表示も含めて殆どの電力消費部分への電源の供給をセーブまたは停止することが可能となるので、非常に省エネ効果の高いものとなる。
【００９４】
なお、図１２中の符号９４は上記のような各種電子デバイスを組み込んだワンチップＩＣを示している。
【００９５】
ところで、上記のような人感センサＭＳの検出感度および検出領域は、上記のようにユーザーが当該電気炊飯器本体に近づき、その上面部の操作パネル６０面に対向し、かつ適切に操作を行い得る通常の操作対応位置に居ることを基準として、当該ユーザーの人体から放射される赤外光の光量を考慮したものに設定されるので、一応それ以外の位置からの赤外光の検出量は外乱として排徐することができる。したがって、本来の操作対応位置におけるユーザーの体温に対応した赤外光の焦電電極９３ａ、９３ｂへの入射量を基準値として、実際に入力される赤外光の光量を基準として検出しさえすれば、適正にユーザーの接近を検出し、ほぼ正確に上記のような対応を取ることができる
しかし、この実施の形態のような電気炊飯器の場合、上記蓋体２の上部中央の後部寄りには、上述のように調圧用の蒸気ユニット５１が設けられており、この蒸気ユニット５１には左右一対の蒸気口５１ａ，５１ａが開口されている。そして、この蒸気口５１ａ，５１ａからは、炊飯時（沸騰維持工程）において高温の蒸気Ｖが吹き出される。したがって、仮に上記人感センサＭＳの受光部９０ａの受光面が、例えば図７、図８に示すように、上記蓋体２の上面（銘板２０の上面）よりも低い位置にあったとしても、もしも上記蓋体２の上面（銘板２０の上面）が蒸気ユニット５１のある後端側から前端２０ｂ側にかけてフラットであったとすると、上記人感センサＭＳの受光部９０ａの前後方向の受光角θａが後方側に広くなり、上記蒸気口５１ａ，５１ａからの蒸気Ｖの赤外線を検出してしまい、適正なユーザー検知を行うことができない問題がある。その結果、上述のような適切な省エネモードへの移行、解除性能が阻害される。
【００９６】
そこで、この実施の形態の構成では、例えば図３、図８に示すように、まず上記蓋体２の上面部を構成する銘板本体２０の上記蒸気ユニット５１よりも前部側部分２０ａの全体をその前端２０ｂ側にかけて次第に高さが低くなるように所定角θｂだけ下降傾斜させた傾斜面に構成し（特に図８の構成を参照）、同下降傾斜面となった銘板本体２０の傾斜角の大きい前端寄り部分一側（タイマー予約スイッチＳＷ１の隣：図２を参照）に円形の第１の受光用の開口２０ｃを形成するとともに、その下方側のマイコン基板設置空間２８内に設けられたマイコン基板６０Ｂ上の同軸部分に位置して、上述の受光部９０ａおよび受光回路部９０ｂよりなる人感センサＭＳを設置している。
【００９７】
そして、上記マイコン基板６０Ｂ上には、さらに液晶パネル６０Ａに対応する部分を除いて基板カバー２９が設けられていて、上記マイコン基板６０Ｂ上の所定の電子部品がカバーされるようになっているが、同マイコン基板カバー２９側の上記人感センサＭＳの受光部９０ａおよび上記銘板本体２０側第１の受光用開口２０ｃに同軸状に対応する部分には、同じく円形の第２の受光用の開口（第１の受光用開口２０ｃよりも少し大径）２９ａが開口されている。
【００９８】
そして、これらの構成により、図７に示すような上記人感センサＭＳ設置用の所定の深さの凹溝部が形成され、上記人感センサＭＳは同凹溝部内に収納される形で設置されており、上記第１、第２の受光用の開口２０ｃ、２９ａを介して受光部９０ａに入射する赤外光のみを正確に検出するようになっている。
【００９９】
しかも、この場合、上記銘板本体２０の上記ユニット５１よりも前部側部分２０ａは、上述のように所定の下降角度θｂで蒸気ユニット５１の前方側から前端２０ｂ側にかけて下降傾斜している。したがって、同銘板本体２０の傾斜面部分に位置して開口されている上記第１の受光用の開口２０ｃは、例えば図８に示すように、その円形の開口面が上記下降傾斜角θｂに対応して前傾したものとなり、前後方向の受光検出角θａも、その受光中心軸を垂直方向から前方側斜め下方にθｂ分傾斜させたものとなる。
【０１００】
この結果、上記銘板本体２０の中央部後端より部分にある蒸気ユニット５１の蒸気口５１ａ、５１ａから吹き出される蒸気Ｖによる赤外光を検知することがなくなり、より正確なユーザー検知が可能となる。
【０１０１】
しかも、この実施の形態の場合、図１および図２から明らかなように、上記人感センサＭＳは、まず上記蒸気ユニット５１の蒸気口５１ａ、５１ａから炊飯器本体前端側方向に大きく距離を取って離間させ、さらに銘板本体２０の左側の一側部（タイマー予約スイッチＳＷ１の左側）に寄せて設けられており、蓋体中央部の後端寄りに位置して設けられている蒸気口５１ａ、５１ａ部分とは、左右方向の位置を大きくずらし（図１中の偏位幅ａを参照）、それによって前後方向において全く対応しないようにオフセットした状態で設置されている。したがって、上述の傾斜角θｂ等の作用と合わせて、より誤検知が生じにくくなる。
【０１０２】
さらに、この実施の形態の場合、上記の場合において、上記銘板本体２０の上面には、例えばＰＥＴ（ポリエチレンテレフタレート）等の合成樹脂材からなるフィルム構造に近い半透明な防水カバー（銘板本体２０表面の保護機能を兼ねた防水用の合成樹脂製薄板）８０が貼設（重合）されており、この防水カバー８０は、上記銘板本体２０の前端部左側に寄せて設けられている第１の受光用の開口２０ｃ部分では、例えば図７、図８に示すように、当該第１の受光用の開口２０ｃ内に凹球面形状に窪まされ、同凹球面部が上記外部検出エリアからの赤外光を効率良く集光して、上述した人感センサＭＳの受光部９０ａに感度良く入射させる集光用の凹レンズ８０ａを形成している。そして、それにより上記人感センサＭＳの受光部９０ａが位置する銘板２０内側の凹溝部内まで比較的広い範囲の赤外光を効率良く入射させることができるようにしている。
【０１０３】
しかし、上記防水カバー８０に使用されるＰＥＴ材は、仮に透明又は半透明に構成したとしても、その結晶構造に基づく分光特性などから、必ずしも赤外線を効率良く透過させるわけではない。したがって、赤外線の透過率を向上させるためには、上記防水カバー８０は可能な限り薄く形成される方が良いが、あまり薄くすると上述した操作パネル等非照明時（図１の状態）のマスキング効果が低下し、操作スイッチやＬＥＤ照明穴が見えて見苦しくなる、また銘板本体２０部分の防護機能も低下する、などの問題がある。
【０１０４】
そこで、この実施の形態では、例えば図８に示されるように、上記凹レンズ８０ａを形成する凹球面部以外のカバー面部分では上記マスキング効果や防護機能を優先した一定の厚さを維持する一方、凹レンズ８０ａを形成する凹球面部では特に厚さを薄くし、赤外線の透過率を高くするように構成している。
【０１０５】
また、それと同時に、人感センサＭＳ側の受光部９０ａ部分には、例えば図９に示されるように、ドーム型形状の受光レンズ９１を設け、該ドーム型形状の受光レンズ９１が焦電素子９３部分への赤外線集光、収束機能の高い高感度の凸レンズとして機能するように構成されている。このドーム型形状の受光レンズ９１は、ドーム型の集光部（例えば、断面三角形状の曲線状のレンズを同心円上に多数並べ、それぞれの三角形部分で屈折した光が同一の焦点を通過するようにした曲面型のフレネルレンズよりなる赤外線収束用のレンズ部）９１ａとその下部側の筒体部９１ｂよりなり、筒体部９１ｂは、その内側に人感センサＭＳのセンサ本体部である受光回路部９０ｂの筐体部外周に嵌合する段差部（大径部）が形成されていて、同センサ本体部である受光回路部９０ｂの筐体部外周に寸法精度よく嵌合されている。この筒体部９１ｂ内段差部（大径部）の上下寸法は、図示のように、上記一対の焦電電極９３ａ、９３ｂよりなる焦電素子９３を備えた上述の受光回路部９０ｂの等径の筒状筐体の上下寸法に合わせたものとなっており、両者を図９の状態に正確に嵌合したときに、上記焦電素子９３の焦電電極９３ａ、９３ｂ部分に上記凹レンズ８０ａからの赤外光が略正確に収束される焦点距離を設定できるようになっている。また、同筒体部９１ｂの外周面側には、マイコン基板カバー２９側に設けられている上方側からのセンサ抑え２９ａが係合される段差部（大径部）が設けられており、上記のように受光レンズ９１を上部側に嵌合し、正確に焦点距離を合わせて設置された人感センサＭＳ自体が振動等で移動して設定された焦点距離が変動することがないように、確実に固定されるようになっている。
【０１０６】
また、上記受光レンズ９１側の筒体部９１ｂの下端部側周方向の一部には、センサ本体部である受光部９０ｂの下端部側周方向の一部に設けた位置決め用のタブＴに対応して位置決めされる同様のタブＴが設けられており、これら両タブＴ、Ｔを相互に正確に合わせて相互に嵌合し、マイコン基板６０Ｂ上の３本のピンホールを有する設置部に装着することにより、正確に焦点距離を合わせた状態で適正に設置することができるようになっている。また、それによって適切な配光特性を考慮した設置が可能となるようになっている。
【０１０７】
人体（赤外光源）から放射される放射赤外線のエネルギーは、焦電素子９３までの距離の２乗に反比例して減少する。したがって、人感センサＭＳの検知感度を上げるためには、そのような赤外線のエネルギーを光学的に増幅することが必要となる。そこで、上述のように、第１の受光用の開口部２０ｃに集光用の凹レンズ８０ａ、人感センサの受光部９０ａ自体に赤外線収束用のドーム型の集光部９１ａを有する受光レンズ９１を設けると、それらが光学的な２段構造の増幅手段として作用するようになり、きわめて有効に人体から放射される赤外線のエネルギーを増幅することができる。その結果、人感センサＭＳの検知感度が向上する。
【０１０８】
また、上述のように、第１の受光用の開口部２０ｃ部分にある凹レンズ８０ａは、凹球面となって窪んでいるので、その分、人感センサ側の集光レンズ９１と光学的な距離が近くなり、より光学的な増幅度を高くすることができる。また、外部の障害物に触れることも少なくなるので、傷や汚れが付きにくくなり、赤外線の透過率を高く維持することができる。さらに、破損などの損傷も生じにくい。
【０１０９】
なお、上記受光レンズ９１側のドーム型の集光部９１ａには、上記のようなドーム型形状のフレネルレンズ以外に、例えば断面三角形状の線状のレンズを同心円上に多数並べ、それぞれの三角形部分で屈折した光が同一の焦点を通過するようにした平面型のフレネルレンズ、また外周部から中心部に向かって厚さが増す通常の凸レンズなどの採用も可能であり、同様の作用を実現することができる。
【０１１０】
以上のような構成によれば、可及的に人感センサＭＳのユーザー検知感度を向上させることができる。しかし、上述したように本実施形態で採用している人感センサＭＳは焦電型のセンサであり、しかも焦電素子９３として、相互に平行な一対の焦電電極９３ａ、９３ｂを備えたデュアルタイプの焦電型センサを採用している。このようなセンサの場合、それら相互に平行な２組の焦電電極９３a、９３ｂの各々により、入射する赤外光の光源（ユーザーの体）までの距離を検知し、各々の検知距離の差の変化によりユーザーの動きを検知して、ユーザーがいるか居ないかを判定する。
【０１１１】
したがって、例えば図１５に示すように、それら２組の焦電電極９３a、９３ｂを、単にユーザーが居る正面Ｆ方向に向けて平行に並設したのでは、それら２組の焦電電極９３a、９３ｂに入射する赤外線の入射光量が等しく、焦電セラミックス部分の温度上昇も等しいので、焦電電極９３ａ、９３ｂの抵抗Ｒｇを流れる電流ｉは相互に打ち消し合い、ＦＥＴ９６のゲート電流が発生しないので、センサ信号Ｖｐｐが発生しない（図１６の信号波形図の（Ｆ）を参照）。したがって、検知される検知距離にも差が生ぜず、ユーザーの存在を検知できない。もちろん、実際のユーザーの動きは、ある程度は左右の動きも伴うので、少しは信号が出るが十分な信号レベルのものとはなりにくく、正確な検知を行いにくい。これは、それら２組の焦電電極９３a、９３ｂを、左右方向に向けて平行に並設した場合にも同様であり、この場合には、上記正面側から背面側方向又はその逆の方向には所定の検出感度を実現することができるが、左から右、又は右から左に平行に移動する人の動きを検出することができなくなる。
【０１１２】
これに対して、図１５の焦電電極９３ａ，９３ｂの設置状態で、例えばＬに示すように、左方向から右方向に人が動いて焦電電極９３ｂ側から焦電電極９３ａ側に順次赤外線が入射した場合には、例えば図１６の信号波形図（Ｌ）に示すように、焦電電極９３ｂ、９３ａに入射する赤外線の入射光量が等しく、焦電セラミックス部分の温度上昇も等しくても、それらに電荷が発生するタイミングには所定の時間差があることから、それぞれ赤外線が入射したタイミングで焦電電極９３ｂ、９３ａ部分に異なる方向の電流ｉが流れ、同電流ｉと抵抗Ｒｇによる電圧によってＦＥＴ９６のゲート電流が制御され、それぞれの入射光量に応じたセンサ信号Ｖｐｐが発生する。
【０１１３】
また、図１５の焦電電極９３ａ，９３ｂの設置状態で、例えばＲに示すように、右方向から左方向に人が動いて焦電電極９３ａ側から焦電電極９３ｂ側に順次赤外線が入射した場合には、例えば図１６の信号波形図（Ｒ）に示すように、焦電電極９３a、９３ｂに入射する赤外線の入射光量が等しく、焦電セラミックス部分の温度上昇が等しくても、それらに電荷が発生するタイミングには所定の時間差があることから、それぞれ赤外線が入射したタイミングで焦電電極９３ａ、９３ｂ部分に異なる方向の電流ｉが流れ、同電流ｉと抵抗Ｒｇによる電圧によってＦＥＴ９６のゲート電流が制御され、それぞれの入射光量に応じたセンサ信号Ｖｐｐが発生する。
【０１１４】
つまり、焦電素子９３として、相互に平行な一対の焦電電極９３ａ、９３ｂを備えた上述のようなデュアルタイプの焦電型センサを採用した場合には、それら各焦電電極９３ａ、９３ｂを所定の時間差をもって光源が横切る場合には有効な検知感度を実現することができるが、それらに平行に光源が移動する場合には有効な検知感度を実現することができないことが分かる。しかし、ユーザーの動きはさまざまであり、このような特定の方向性を持ったセンサでは、必ずしも有効な検知感度を上げることができない。
【０１１５】
そこで、この実施の形態では、例えば図１３および図１４に示すように、相互に平行な一対の焦電電極９３ａ、９３ｂを備えたデュアルタイプの焦電型センサの各焦電電極９３ａ、９３ｂ部分を、正面方向から見て斜め方向に４５度前後傾斜させた状態でマイコン基板６０Ｂ上に設置している。このようにすると、図１４中に矢印で示すように、上述した正面側から背面側方向（背面側から正面側方向）への赤外線の入射Ｆ、左側から右側方向への赤外線の入射Ｌ、右側から左側方向への赤外線の入射Ｒの何れの動きの場合においても、各焦電電極９３ａ、９３ｂ（９３ｂ、９３ａ）に確実に時間差をもって光源（人体）が横切るようになり、要求される検出感度を維持できる範囲がＸ−Ｙ両方向に大きく拡大される。
【０１１６】
この場合、当該人感センサＭＳは、例えば図９および図１０に示すように、そのセンサ筐体の下面部に３本の装着用ピンＰ１〜Ｐ３を有して、マイコン基板６０Ｂ上の対応するピンホールを有するセンサ設置部部分に設置されるようになっている。
【０１１７】
そして、この実施の形態の構成の場合、図１３から明らかなように、人感センサＭＳは、マイコン基板６０Ｂ上において、発熱部品である電源用ＩＣ９８、９８に対し、液晶パネル６０Ａを挟んで最も遠く離れた対角線上の位置に設けられるようになっている。したがって、熱の影響を嫌う人感センサＭＳに対して、マイコン基板６０Ａ上の発熱部品の影響を可及的に回避することができ、その検出精度をより高めることができる。
【０１１８】
この実施の形態のように、ユーザーの存在を検出する人感センサＭＳを設けて、所定の対応エリア内におけるユーザーの存在を検出できるようにし、ユーザーが電気炊飯器のそばに居ない場合には、上記蓋体２の操作パネル部６０の操作スイッチ部ＳＷ１〜ＳＷ９および液晶パネル部６０Ａを自動的にＷＡＩＴモード（電源ＯＦＦの非通電状態）に設定して、可及的に消費電力を低減する一方、人感センサＭＳがユーザーの存在を検出した場合には、それまでのＷＡＩＴモードを自動的に解除して、所望の操作および表示を可能にする構成を採用した場合、そのＷＡＩＴモードの設定および解除の制御性能、信頼性は、当該人感センサＭＳが如何に確実にユーザーの存在を検出し得るか、すなわち人感センサＭＳのユーザー検出感度の高さにかかっている。
【０１１９】
上記のようなユーザーの存在を検出する人感センサＭＳとしては、その体温に応じてユーザーの体（光源）から放射される赤外線を受光部（焦電素子）に入射させて所定の位置におけるユーザーの存在を検出する焦電型の赤外線センサや、ユーザーの体とは別の赤外線発光部（発光ダイオード）と赤外線受光部（フォトトランジスタ）とを備え、赤外線発光部（発光ダイオード）から放射され、ユーザーの体に当たって反射した赤外線を赤外線受光部（フォトトランジスタ）で受光することにより所定の位置におけるユーザーの存在を検出する反射光受光型の赤外線センサ、また固体撮像素子を用いた画像検出方式の人検知センサなどの種々の装置の採用が考えられる。
【０１２０】
しかし、上記反射光受光型の赤外線センサの場合、発光部と受光部の２つの独立した光学素子に加えて、発光系路と受光系路の２つの光学系路が必要であり、コストが高く、構造も複雑で、スペース上の制約が多い電気炊飯器の蓋体内には設置しにくい。また、固体撮像素子を用いた画像検出方式の人検知センサは、必然的にコストが高い。このような事情から、この実施の形態では、比較的に構成が簡単で、コストも安い、ユーザーの体を光源とする赤外線を受光部（焦電素子）に入射させて所定の位置におけるユーザーの存在を検出する焦電型の赤外線センサを採用し、その光学系路上に凹レンズ構造、凸レンズ構造等の複数段の光学的な増幅手段を設けることによって、人体からの放射赤外線エネルギーの減衰を補償し、また受光用開口部の赤外線透過率を向上させることによって、可及的に検知感度を向上させるようにしている。
【０１２１】
また、その場合において、上記焦電型センサの焦電素子として、例えば図９〜図１４に示すように、２組の焦電電極９３a、９３ｂを有するデュアル型のものを採用し、それら２組の焦電電極９３a、９３ｂの各々により、入射する赤外光の光源（ユーザーの体）までの距離を検知し、各々の検知距離の差の変化によりユーザーの動きを正確に検知して、ユーザーがいるか居ないかを確実に判定するようになっている。
【０１２２】
そして、その場合において、さらに、それら２組の焦電電極９３ａ、９３ｂを単にユーザーが居る正面方向に平行に並設、またはそれとは９０度位置を異にした左右方向に平行に並設しただけでは、それら前後方向又は左右方向いずれかの並設方向を横切る方向にしか検知機能が働かないので、それ以外の移動方向の場合には２組の焦電電極９３a、９３ｂにより検知される検知距離に差が生じにくく、検出感度を向上させることができにくい。
【０１２３】
そこで、この実施の形態では、例えば図１３および図１４に示すように、相互に平行な２組の焦電電極９３ａ、９３ｂを備えたデュアル型の焦電型センサの各焦電電極９３ａ、９３ｂ部分を、正面方向から見て斜め方向に４５度前後傾斜させた状態でマイコン基板６０Ｂ上に設置し、図１４中に矢印で示すように、上述した正面側から背面側方向（背面側から正面側方向）への赤外線の入射Ｆ、左側から右側方向への赤外線の入射Ｌ、右側から左側方向への赤外線の入射Ｒの何れの動きの場合においても、各焦電電極９３ａ、９３ｂ（９３ｂ、９３ａ）に確実に時間差をもって光源（人体）が横切るようにし、要求される検出感度を維持できる範囲がＸ−Ｙ両方向に大きく拡大されるようにしている。
【０１２４】
したがって、以上の光学的な増幅手段等による検出感度向上作用と相俟って、十分に実用に耐える検出感度が実現される。
＜蓋体部における傾斜センサの設置状態と同センサの構成について＞
さらに、また、この実施の形態では、上述した人感センサＭＳに加えて、さらに図１７〜図１９に示すように、上記蓋体２内のマイコン基板６０Bに付属する電池基板６０C部分に上述した蓋体２の開閉を検知する傾斜センサ（蓋開閉センサ）ＩＳを設けて構成されており、同傾斜センサＩＳの検出信号を利用してユーザーが蓋体２を開閉操作したときのタッチスイッチ部分の誤操作を防止するようにしている。
【０１２５】
すでに述べたように、この実施の形態の場合、上記蓋体２上面側の操作パネル６０の操作スイッチ部分をタッチパネル構造（タッチスイッチ構造）にしている。このようにタッチパネル構造を採用すると、タッチスイッチ部のタッチキーに指先で軽くタッチするだけでタッチセンサを作動させることができ、操作、入力が著しく容易になる。
【０１２６】
しかし、一方、本来操作スイッチを操作するわけではない蓋体２の開閉操作時に、意図せずにユーザーの指がタッチキーに触れるということが起こりうる。この場合、いずれの場合にもユーザーが人感センサＭＳの検出対応エリア内に居ることから、人感センサＭＳはユーザーの存在を検知して、省エネモードを解除し、操作スイッチＳＷ１〜ＳＷ１１を操作可能とし、発光ダイオードＬ１〜Ｌ１９によるタッチキーの照明表示もなされ、発光ダイオードＬ２１〜Ｌ２５による液晶パネル６０Ａの照明もなされることになる。つまり、操作スイッチ等の誤操作が生じることになる。
【０１２７】
そこで、この実施の形態では、当該傾斜センサＩＳにより蓋体２の開閉状態を検出し、少なくとも蓋開状態では、仮に人感センサＭＳがユーザーの存在を検出したとしても、操作スイッチの操作キー入力を不可能とし、そのような誤操作入力を防止するようにしている。
【０１２８】
この傾斜センサＩＳは、例えば図１７および図１８に示すように、電池Ｅが設置された縦壁構造の電池基板６０ｃ上に装着された所定の厚さの正方形状の内実型のパッケージング９９内に、該パッケージング９９の形状とは９０度位置をずらせた状態で、所定寸法小さい正方形状の遮光物移動空間９９aを形成し、まず同遮光物移動空間９９a内に軸長の短い所定の直径の偏平な円柱体よりなる遮光物（回転体）９９ｂを回動可能に内装している。
【０１２９】
この遮光物９９ｂは、例えば図１８に示すように、蓋体２の開閉状態に対応したパッケージング９９の前後方向への回転傾斜に応じて遮光物移動空間９９a内を自由に回動し、例えば図１８に示すパッケージング９９内の遮光物移動空間９９aの４つのコーナー位置
一方、パッケージング９９のそれら４つのコーナー位置a〜ｄの内の少なくとも３つのコーナー位置a、ｂ、ｄの外側部には、例えば上端側コーナー位置ａ部分に赤外線発光ダイオードＤ、前端側コーナー位置ｂ部分にフォトトランジスタＴ１、後端側コーナー位置ｄ部分にフォトトランジスタＴ２を配置しており、それらのアノード側、コレクタ側に電源Ｖｃｃ、グランド側に電流制限抵抗Ｒ、負荷抵抗Ｒ１、Ｒ２が接続されている。
【０１３０】
したがって、同構成の場合、たとえば上記遮光物９９ｂがコーナー位置ａ位置にあるときは、フォトトランジスタＴ１、Ｔ２は共に遮光されて出力は共にＯＦＦ、次にコーナー位置ｂにあるときにはフォトトランジスタＴ１はＯＦＦでフォトトランジスタＴ２はＯＮ、またコーナー位置ｃにあるときにはフォトトランジスタＴ１、Ｔ２は共にＯＮ、さらにコーナー位置ｄにあるときにはフォトトランジスタＴ１はＯＮで、フォトトランジスタＴ２はＯＦＦとなる。したがって、これらフォトトランジスタＴ１、Ｔ２のＯＮ、ＯＦＦ出力Ｖ１、Ｖ２の組み合わせにより、前後方向の傾斜状態、すなわち図２３のような蓋体２の開閉状態を判定することができる。
【０１３１】
いま、上記傾斜センサＩＳのパッケージング９９が、蓋体２の閉状態において、例えば図１９に示すような発光ダイオードＤが真上に来る状態（傾斜角５度程度で、図１８のコーナー位置ａが真上に来る状態）に設置されているとすると、遮光物９９ｂはコーナー位置ｃにあり、この蓋体２の閉状態では、上記フォトトランジスタＴ１、Ｔ２は共にＯＮ状態にあり、出力Ｖ１、Ｖ２は共にＨである。そして、この出力Ｖ１、Ｖ２共にＨの組み合わせの信号が、例えば図２０のマイコン制御ユニット１００に蓋体２の閉状態を示す信号として入力される。
【０１３２】
その後、蓋体２が開かれると、同蓋体２の後方側への回転に応じて、コーナー位置ａおよび発光ダイオードＤ部分が次第に水平方向に傾斜し、コーナー位置ｄ部分が下方側に偏位し、遮光物９９ｂはコーナー位置ｃからコーナー位置ｄに移動する（図１９のθ１の状態を参照）。
【０１３３】
同状態から、さらに蓋体２が開かれて、最終的に最大開放位置θ２（９０度より少し手前）まで開かれると、上記発光ダイオードＤおよびコーナー位置ａ、コーナー位置ｃが略水平な状態になる一方、コーナー位置ｂが真上、コーナー位置ｄが真下に来る状態となり、遮光物９９ｂがコーナー位置ｄ部分で停止して、フォトトランジスタＴ２をＯＦＦにする。  この結果、フォトトランジスタＴ１はＯＮで出力Ｖ１はＨ、フォトトランジスタＴ２はＯＦＦで出力Ｖ２はＬとなる。そして、この出力Ｖ１がＨで、出力Ｖ２がＬの組み合わせの信号が、蓋開検出信号として、例えば図２３に示すように、上記人感センサＭＳの出力信号Ｖｐｐとともにマイコン制御ユニット１００に入力されて、上述した操作パネル６０のタッチスイッチ部および液晶パネル６０Ａの省エネモード、省エネモード解除の制御を行う。
【０１３４】
この結果、以上の構成によると、例えば傾斜センサＩＳの検出結果に基づき、確実に蓋体2が閉じられていると判定された場合には、上記人感センサＭＳの検出結果に基づいて、ユーザーが居る場合には、操作部の操作および表示部の表示が可能となり、適正な操作、設定が可能となる。
【０１３５】
他方、少なくとも傾斜センサＩＳが蓋体2の開放を検出しているときには、仮に人感センサＭＳがユーザーの存在を検出したとしても、同傾斜センサＩＳの検出結果の方を優先して、上記操作部の操作および表示部の表示が不可能な省エネモードに制御して、操作、設定を行なえないようにする、などの所望の制御が可能となる。
＜制御回路部分の構成について＞
次に、図２０は、上記この出願の発明の実施の形態１に係る電気炊飯器のマイコン制御ユニットを中心として構成された炊飯および保温制御回路の構成を示している。
【０１３６】
この制御回路におけるマイコン制御ユニットは、たとえば炊飯および保温制御を行なう主たるマイコン制御ユニットである第１のマイコン制御ユニット１００Ａに加え、上記操作パネル６０に設けた操作スイッチ（タッチスイッチ）ＳＷ１〜ＳＷ１１の動作制御（照明手段である発光ダイオードＬ１〜Ｌ１９のＯＮ，ＯＦＦ制御、操作スイッチＳＷ１〜ＳＷ１１操作時の操作音制御や音声ガイドスイッチＳＷ７の音声ガイド制御）専用の第２のマイコン制御ユニット１００Ｂとの２組のマイコン制御ユニットが設けられており、これらに対して、必要な電源回路、入出力装置、制御対象、制御対象駆動回路、表示装置が適宜接続されている。
【０１３７】
すなわち、先ず符号１０１はＡＣ電源入力用のノイズフィルタ回路であり、ＡＣ電源コンセントから入力されたＡＣ電源は、このノイズフィルタ回路１０１を介して電源ノイズが除去された後に、第１の整流平滑回路１０２、第１のＩＨ回路１０３、同第１のＩＨ回路１０３用の第１のＩＧＢＴ駆動回路１０４、第２のＩＨ回路１０５、同第２のＩＨ回路用の第２のＩＧＢＴ駆動回路１０６、肩ヒータＨ１、蓋ヒータＨ２、第２の整流平滑回路１１４、調圧用ソレノイドコイルＳＬ１〜ＳＬ２などの各々に、それぞれ動作電源として供給される。
【０１３８】
上記第１のＩＨ回路１０３は、第１、第２のワークコイルＣ１、Ｃ２、ＩＧＢＴ、チョークコイル、共振回路等により構成されている。上記第２のＩＨ回路１０５は、第３のワークコイルＣ３、ＩＧＢＴ、チョークコイル、共振回路等により構成されている。
【０１３９】
上記第２の整流平滑回路１１４は、上記入力されるＡＣ電源を整流・平滑した後、ＤＣ２０Ｖの定電圧電源回路１１５を通してＤＣ２０Ｖの定電圧電源に変換し、上記第１のＩＨ回路１０３駆動用の第１のＩＧＢＴ駆動回路１０４、上記第２のＩＨ回路１０５駆動用の第２のＩＧＢＴ駆動回路１０６、ファンモータ駆動回路１０７、肩ヒータ駆動回路１０９、蓋ヒータ駆動回路１１０、ソレノイド駆動回路１１１、マイコン電源回路１１７、リセット回路１１９に動作電源として供給する。また、上記マイコン電源回路１１７には、バッテリー等所定のバックアップ電源を用いたバックアップ回路１１８が設けられている。
【０１４０】
他方、符号１１２は、上記ＡＣ電源入力の入力電流を検出す入力電流検出回路であり、検出された入力電流値は、上記第１のマイコン制御ユニット１００Ａに入力される。また、符号１１３は、上記ＡＣ電源入力のゼロクロス信号を検出するゼロクロス検出回路であり、検出されたゼロクロス信号は、上記第１のマイコン制御ユニット１００Ａに入力される。
【０１４１】
さらに、上記第１、第２のＩＨ回路１０３、１０５の各々には、それぞれ同期トリガー回路１１６ａ，１１６ｂが設けられている。
【０１４２】
一方、符号Ｓ１〜Ｓ７は、上記センターセンサＣＳ部分に設けられた内鍋温度検出用の第１のサーミスタＳ１、上記炊飯器本体側冷却ファン１０８下流側の電気基板部分に設けられていて、当該冷却ファン１０８により導入される炊飯器本体外部の空気の温度（室内の気温）を検出する第２のサーミスタＳ２その他のサーミスタであり、それぞれ検出された温度データは上記第１のマイコン制御ユニット１００Ａに入力される。
【０１４３】
また、符号ＭＳは、上述した人感センサであり、上述のように同人感センサＭＳが正常な検出機能を果たす場合に、その上述した検出信号をマイコン制御ユニット１００Ａに入力して上述したような制御をする。
【０１４４】
また、符号ＩＳは、上述した傾斜センサであり、上述のように同傾斜センサＩＳが正常な検出機能を果たす場合に、その上述した検出信号をマイコン制御ユニット１００Ａに入力して上述のような制御をする。
【０１４５】
他方、上記第２のマイコン制御ユニット１００Ｂは、図示のように、第１のマイコン制御ユニット１００Ａとは独立した形で設けられ、相互に信号の授受ができるように接続されている。そして、同第２のマイコン制御ユニット１００Ｂには、フラッシュメモリ１２０が付設され、スイッチ操作時の操作音データや音声ガイド用のデータなど必要な音声データがメモリされているとともに、上述した各種操作スイッチＳＷ１〜ＳＷ１１をＯＮ操作したときの操作音の報知や操作ガイド用の音声案内を行うオーディオアンプ１２１およびスピーカー１２１ａを備えて構成されている。オーディオアンプ１２１は、ミュート回路１２２を介してミューティング可能に構成されている。
【０１４６】
また、符号１２３は、発光ダイオード駆動回路（ＬＥＤドライバ）であり、上述した操作パネル６０部分の各種操作スイッチＳＷ１〜ＳＷ１１照明用の発光ダイオードＬ１〜Ｌ１９、液晶パネル６０Ａのバックライト用発光ダイオードＬ２０〜Ｌ２４等の点灯状態を駆動制御するものである。
【０１４７】
また、符号１２４は、メインクロック信号発生回路（８ＭＨｚ）、１２５は、サブクロック信号発生回路（３２．７６８ＫＨｚ）である。
＜人感センサの検出機能との関係における操作スイッチ部のＷＡＩＴモードの制御について＞
すでに述べたように、以上のような人感センサＭＳを設けた場合にも、いくつかの問題があり、その一つが当該人感センサの不感領域の問題である。
【０１４８】
すなわち、上記赤外線方式の人感センサＭＳは、その特性上温度依存特性が高く、所定の温度以上の赤外線を入力するとともに、その入力方向の変化から人の存在を検知するようになっている。そして、検知するのが人であるから、上記検知すべき赤外線の所定の温度は、当然ながら人の体温が基準となり、人の体温に基づいて放射される赤外線の入力量が基準となる。
【０１４９】
ところが、この人の体温は３６〜３７度程度の比較的低い温度であり、夏季の真夏日やや気温の高い地域では、上記人感センサＭＳのセンサ部周囲の雰囲気温度が同等またはそれ以上の温度に上昇することもある。そうなると、人感センサＭＳに入力される赤外線量は周囲温度によるものか、ユーザーの体からの放射によるものかの区別がつかなくなり、正確な人の検知ができなくなってしまう問題がある。また、同雰囲気温度は常に一定ではなく、一日の内でも午前と午後では変動するし、室内に風がある場合とない場合でも条件が異なってくる。
【０１５０】
また、上記人感センサＭＳは、上述のように受光レンズ９１を備えて外部からの赤外光を集光する受光部９０ａおよび該受光部９０ａで集光された赤外光を受光して電気信号を出力する受光回路部９０ｂよりなり、受光部９０ａの受光レンズ９１を通して入射する赤外光を赤外フィルタ９２に通すことによって予め設定された帯域のものにセレクトしたうえで、受光回路部９０ｂ中の焦電素子９３部分に集め、該焦電素子９３部分から出力される受光量に応じた電圧信号をインピーダンス変換し、所定の電圧レベルに増幅した上で出力するようになっている。
【０１５１】
上記焦電素子９３は、例えば圧電セラミックスの一種である焦電セラミックスよりなる一対の焦電電極９３ａ、９３ｂを相互に平行な状態で並設して構成されており、これら相互に平行な一対の焦電電極９３ａ、９３ｂにより、それぞれ入射する赤外光の光源までの距離を検知し、所定の時間内における各々の検知距離の差の変化によりユーザーの動きを検知して、ユーザーがいるか居ないかを判定するようになっている。
【０１５２】
したがって、上記受光部９０ａの受光レンズ９１部分には必然的に周方向に入射角の限界があり、また同入射角は、蓋体２上面の銘板本体２０部分に形成された人感センサＭＳへの赤外線導入口２０ｃの開口径および深さによっても制限される。
【０１５３】
その結果、例えば炊飯器本体の側方部など、当該人感センサＭＳの入射角外の検出不能エリアから操作パネル６０上の操作スイッチＳＷ１〜ＳＷ１１を操作しようとした時にも人感センサＭＳがユーザーの存在を検知することができず、上述したＷＡＩＴモード（省エネモード）を解除することができないので、操作パネル６０上の操作スイッチＳＷ１〜ＳＷ１１部分に触れても操作することができないという問題が生じる。
【０１５４】
さらに、上記のように蓋体２に人感センサＭＳを設けた場合、蒸気ユニット（調圧ユニット）５１から吹き出された高温の「おねば」が、上記銘板本体２０の赤外線導入口２０ｃの上面（凹面部）に流入して、ユーザーが居ないにも拘わらず人感センサＭＳを検知状態にしてしまう。また、冷えた後も「おねば」が赤外線導入口２０ｃの上面（凹面部）を覆うことで、人感センサＭＳの感度自体を低下させ、検知機能を低下させる問題もある。
【０１５５】
この発明の実施の形態は、そのような人感センサＭＳを設けた場合の技術的な課題の内、特に前者のセンサ部周囲の雰囲気温度が人の体温以上となった場合の問題を解決するために構成されたもので、人感センサＭＳのセンサ部周囲の雰囲気温度が人の体温以上となった場合には、人感センサＭＳの検知入力の有無にかかわらず、少なくとも複数の操作スイッチＳＷ１〜ＳＷ１１を備えた操作パネル６０の操作スイッチＳＷ１〜ＳＷ１１の何れか、または複数のものが操作（タッチ）されたことを条件として、それら複数の操作スイッチＳＷ１〜ＳＷ１１の上記ＷＡＩＴモード（省エネモード）を解除して、各操作スイッチＳＷ１〜ＳＷ１１をそれぞれ操作設定、入力可能な表示および動作状態（発光ダイオードＬ１〜Ｌ１９点灯、制御入力可能な図２の通電状態）に制御するようにしている。
【０１５６】
図２１のフローチャートは、そのような制御方法を示している。同制御方法では、先ず当該電気炊飯器の図２０の制御回路に示す電源コンセントがＡＣ電源に接続されて、図２０の各電源回路に電源が供給されるようになった時点で制御動作が開始される。
【０１５７】
そして、制御が開始されると、先ずステップＳ１で上記人感センサＭＳからの検出入力があるか否かを判定する。人感センサＭＳは、ユーザーが人感センサＭＳの所定の検出エリア内に居る時には、同ユーザーの体から放射される体温に応じた赤外線量を検出して第１のマイコン制御ユニット１００Ａへの検出入力を発生するが、そうでない場合には検出入力を発生しない。この人感センサＭＳの検出入力があるか無いかの判定は、所定の制御周期で繰り返される。
【０１５８】
なお、人感センサＭＳは、当該電気炊飯器が置かれている室内の気温が人感センサＭＳの検出対象であるユーザーの体温と同等か、もしくはユーザーの体温よりも高い場合にもユーザーが存在する場合と同様に検知入力が生じる可能性があるが、それは熱源の移動を伴わないために非常に不確定であり、常に正確に検知入力を発生するとは限らない。
【０１５９】
したがって、ここでの人感センサＭＳの検出入力なし（ＮＯ）の判定には、当該電気炊飯器が置かれている室内の気温が人感センサＭＳの検出対象であるユーザーの体温と同等か、もしくはユーザーの体温よりも高い場合もあるし、そうでない場合もある。
【０１６０】
この判定の結果、人感センサＭＳの検出入力がないとしてＮＯと判定された場合には、次にステップＳ２に進んで、上記ＡＣ電源接続後最初のＮＯ判定時から、例えば所定の設定時間「２０秒」が経過したか否かを判定する。この判定の結果、「２０秒」が経過していないときはＮＯと判定されて、再び上述のステップＳ１の入力判定に戻って上記人感センサＭＳの検出入力の有無を判定し、ＮＯの場合には再びステップＳ２に進んで「２０秒」の経過を判定する。これらの判定動作が、上記「２０秒」が経過するまで繰り返される。この所定の設定時間「２０秒」は、当該電気炊飯器が、炊飯中、タイマー予約炊飯中、タイマー予約確定中、保温中等の次のスイッチ操作を必要としない待機状態、およびこれから操作設定がなされる可能性があるが、現在は何も操作がなされていない操作待機状態の何れの場合においてもなされる。
【０１６１】
そして、何回目かの周期の判定において、同設定時間「２０秒」が経過し、ステップＳ２でＹＥＳと判定されると、続いてステップＳ３に進んで、先ず正常に上述の蓋体２が閉まっているか否かの判定を行う。この判定の結果、ＮＯの蓋体２が開かれている場合には、蓋体２が閉められるまで、上記ステップＳ１〜Ｓ３の判定動作を繰り返す。
【０１６２】
他方、最初から蓋体２が閉まっているか、または最初は開いていたが途中で蓋体２が絞められるなどして、少なくとも上記制御開始後「２０秒」が経過した時には蓋体２が閉められているＹＥＳの時には、さらにステップＳ４に進んで、上述した外気温センサＳ２の検出温度がユーザーの体温に対応した所定の設定温度以上になっているか否かを判定する。そして、その判定結果がＮＯの場合には、人感センサＭＳのセンサ部周囲の雰囲気温度が人の体温よりも低くて、人感センサＭＳが正常にユーザーの存在を検出できる場合であるので、次にステップＳ５に進んで、現在の状態が炊飯中、タイマー予約炊飯中、タイマー予約確定中、保温中などの制御入力操作設定後の待機状態ではなく、未だ何らの制御入力の操作設定が行われていない「操作待機中」であるか否かの判定を行う。その結果、ＹＥＳの「操作待機中」である場合には、次にステップＳ６に進んで、上述したタッチ検出用第２のマイコン制御ユニット１００ＢをＷＡＩＴモード（非通電モード）に移行させ、上記操作スイッチＳ１〜Ｓ１１操作入力回路および照明用発光ダイオードＬ１〜Ｌ２０への通電を停止する。そして、ステップＳ７のスタンバイ状態を同「ＷＡＩＴモード（非通電モード）」での省エネスタンバイ状態に設定維持し、以後の正常な人感センサ入力があるか、または正常な人感センサ入力が期待しえない場合であっても、操作スイッチＳＷ１〜ＳＷ１１へのタッチ操作があるまで、可能な限り消費電力を節約する。
【０１６３】
他方、ステップＳ５の判定でＮＯの、現在の状態が「操作待機中」ではなく、炊飯中、タイマー予約炊飯中、タイマー予約確定中、保温中などの制御入力操作設定後の「通常の待機状態」である場合には、そのままステップＳに進んで、同通常の待機状態でのスタンバイ状態に設定（維持）する。
【０１６４】
このようにして、例えば「２０秒間」以上人感センサＭＳの検出入力がなく、蓋体２が閉まっており、外気温センサＳ２の検出温度が人の体温よりも低くて、未だ複数の操作スイッチＳＷ１〜ＳＷ１１が何らの操作もされていない「操作待機中」の場合には、複数の操作スイッチＳＷ１〜ＳＷ１１の操作入力回路および照明用発光ダイオードＬ１〜Ｌ１９への通電を停止し、可及的に消費電力の小さい操作スタンバイ状態（図２）を実現する。
【０１６５】
一方、このような、タッチ検出用第２のマイコン制御ユニット１００ＢをＷＡＩＴモード（非通電モード）に移行させ、上記操作スイッチＳ１〜Ｓ１１操作入力回路および照明用発光ダイオードＬ１〜Ｌ１９への通電を停止した省エネモードの操作スタンバイ状態においても、さらにステップＳ８〜Ｓ１２に示すように、所定の周期で人感センサＭＳの検出入力があるか否か、蓋体２が閉まっているか否か、外気温センサＳ２の検出温度が人の体温以上であるか否か、操作待機中であるか否か、現在の操作スタンバイ状態が通常の操作スタンバイ状態であるか、複数の操作スイッチＳＷ１〜ＳＷ１１の照明用発光ダイオードＬ１〜Ｌ１９を全て消灯し、可及的に消費電力の小さい省エネモードでの操作スタンバイ状態、すなわちタッチ検出用第２のマイコン制御ユニット１００ＢのＷＡＩＴモードでの操作スタンバイ状態であるか否かの判定が行われる。
【０１６６】
その結果、人感センサＭＳの検出入力がある場合（ＹＥＳ）には、ステップＳ９〜Ｓ１２の判定を行うことなく、ステップＳ１７にジャンプして、現在の操作スタンバイ状態が
タッチ検出用第２のマイコン制御ユニット１００ＢのＷＡＩＴモードでの操作スタンバイ状態であるか否かの判定を行なう。そして、その結果、現在の操作スタンバイ状態が、タッチ検出用第２のマイコン制御ユニット１００ＢのＷＡＩＴモードでの操作スタンバイ状態である場合（ＹＥＳ）には、続くステップＳ１８で同ＷＡＩＴモードを解除した上で上記ステップＳ１にリターンし、上述したステップＳ１〜Ｓ５の判定およびステップＳ６の処理を行ない、タッチ検出用第２のマイコン制御ユニット１００ＢのＷＡＩＴモードでの操作スタンバイ状態でない通常モードでのスタンバイ状態の設定、またはタッチ検出用第２のマイコン制御ユニット１００ＢのＷＡＩＴモードでの操作スタンバイ状態の設定を行う。
【０１６７】
他方、同ステップＳ１７の判定が、タッチ検出用第２のマイコン制御ユニット１００ＢのＷＡＩＴモードでの操作スタンバイ状態でない通常モードのスタンバイ状態であるＮＯの判定の場合には、そのままの状態で、上記ステップＳ１にリターンし、上述したステップＳ１〜Ｓ５の判定およびステップＳ６の処理を行う。
【０１６８】
また、それとは異なり、人感センサＭＳの検出入力がない場合（ステップＳ８でＮＯ）には、一応ステップＳ９に進んで蓋体２が閉まっているか否かの判定を行ない、蓋体２が閉まっていない場合（ステップＳ９でＮＯ）にのみ、ステップＳ１７に進んで、現在のスタンバイ状態がタッチ検出用第２のマイコン制御ユニット１００ＢのＷＡＩＴモードでの操作スタンバイ状態であるか否かの判定を行なう。そして、その結果、現在のスタンバイ状態が、タッチ検出用第２のマイコン制御ユニット１００ＢのＷＡＩＴモードでの操作スタンバイ状態である場合（ＹＥＳ）には、続くステップＳ１８で同ＷＡＩＴモードを解除した上で上記ステップＳ１にリターンし、上述したステップＳ１〜Ｓ５の判定およびステップＳ６の処理を行ない、タッチ検出用第２のマイコン制御ユニット１００ＢのＷＡＩＴモードでの操作スタンバイ状態でない通常の操作スタンバイ状態の設定、またはタッチ検出用第２のマイコン制御ユニット１００ＢのＷＡＩＴモードでの操作スタンバイ状態の設定を行う。
【０１６９】
他方、同タッチ検出用第２のマイコン制御ユニット１００ＢのＷＡＩＴモードでの操作スタンバイ状態でない通常モードのスタンバイ状態の場合（ＮＯ）には、そのままの状態で、上記ステップＳ１にリターンし、上述したステップＳ１〜Ｓ５の判定およびステップＳ６の処理を行う。他方、同人感センサＭＳの検出入力がない場合において、かつステップＳ９の判定で蓋体２が閉まっていると判定された場合（ＹＥＳ）には、さらにステップＳ１０に移って、上記外気温センサＳ２の検出温度が人の体温以上になっているか否かの判定を行なう。その結果、上記外気温センサＳ２の検出温度が人の体温以上になっている場合（ＹＥＳ）には、さらにステップＳ１４に進んで、現在のスタンバイ状態が複数の操作スイッチＳＷ１〜ＳＷ１１の照明用発光ダイオードＬ１〜Ｌ２０を全て消灯し、可及的に消費電力の小さい省エネモードでの操作スタンバイ状態、すなわちタッチ検出用第２のマイコン制御ユニット１００ＢのＷＡＩＴモードであるか否かの判定を行ない、上述のステップＳ６の処理を経た同ＷＡＩＴモードではない場合（ＮＯ）には、さらにステップＳ１６に進み、上述した複数のタッチスイッチＳＷ１〜ＳＷ１１の何れかが操作されたか否か、すなわちタッチキー入力の有無を判定する。そして、その判定の結果、タッチキーの入力があったＹＥＳの場合には、上述したステップＳ１７に進んで、現在のスタンバイ状態が上述したタッチ検出用第２のマイコン制御ユニット１００ＢのＷＡＩＴモードでの操作スタンバイ状態であるか否かの判定を行なう。そして、その結果、現在のスタンバイ状態が、タッチ検出用第２のマイコン制御ユニット１００ＢのＷＡＩＴモードでの操作スタンバイ状態である場合（ＹＥＳ）には、続くステップＳ１８で同ＷＡＩＴモードを解除した上で上記ステップＳ１にリターンし、上述したステップＳ１〜Ｓ５の判定およびステップＳ６の処理を行ない、タッチ検出用第２のマイコン制御ユニット１００ＢのＷＡＩＴモードでの操作スタンバイ状態でない通常モードのスタンバイ状態の設定、またはタッチ検出用第２のマイコン制御ユニット１００ＢのＷＡＩＴモードでの操作スタンバイ状態の設定を行う。
【０１７０】
他方、現在のスタンバイ状態が、上記タッチ検出用第２のマイコン制御ユニット１００ＢのＷＡＩＴモードでの操作スタンバイ状態である場合（上記ステップＳ１４の判定でＹＥＳの場合）には、先ずステップＳ１５に進んで、同タッチ検出用第２のマイコン制御ユニット１００ＢのＷＡＩＴモードを解除した上で、上記ステップＳ１６の上述した複数のタッチスイッチＳＷ１〜ＳＷ９の何れかが操作されたか否か、すなわちタッチキー入力の有無を判定する。
【０１７１】
すなわち、このステップＳ８から、ステップＳ９、ステップＳ１０、ステップＳ１４、ステップＳ１５と進む場合は、上記タッチ検出用第２のマイコン制御ユニット１００ＢのＷＡＩＴモードでの操作スタンバイ状態であり、しかも人感センサＭＳの検出入力がなく、蓋体２が閉まってはいるが、炊飯器本体に設置されている室内空気の温度を検出する外気温センサＳ２の検出値が人の体温以上の温度となっていて、仮にユーザーが近づいたとしても、人感センサＭＳの正常な人検知機能を期待できない状態であり、そのままでは当該人感センサＭＳによっては上記タッチ検出用第２のマイコン制御ユニット１００ＢのＷＡＩＴモードを解除することができず、上記複数の操作スイッチＳＷ１〜ＳＷ９をユーザーが操作しようとして操作を行うことができない可能性がある。
【０１７２】
そこで、上述のように、ステップＳ１５で上記タッチ検出用第２のマイコン制御ユニット１００ＢのＷＡＩＴモードを、人感センサＭＳの検出入力がない場合にあっても、強制的に解除し、操作スイッチＳＷ１〜ＳＷ１１の操作を可能とする。そして、その上でステップＳ１６の実際に操作スイッチＳＷ１〜ＳＷ１１の操作、すなわちキー入力があったか否かの判定を行なえるようにしている。
【０１７３】
そして、同キー入力判定の結果、いずれかのタッチキーの入力があったＹＥＳの場合には、上述したステップＳ１７に進んで、現在のスタンバイ状態が上述したタッチ検出用第２のマイコン制御ユニット１００ＢのＷＡＩＴモードでの操作スタンバイ状態であるか否かの判定を行なう。そして、その結果、現在のスタンバイ状態が、上記タッチ検出用第２のマイコン制御ユニット１００ＢのＷＡＩＴモードでの操作スタンバイ状態である場合（ＹＥＳ）には、続くステップＳ１８で同ＷＡＩＴモードを解除した上で上記ステップＳ１にリターンし、上述したステップＳ１〜Ｓ５の判定およびステップＳ６の処理を行なうようにする。
【０１７４】
他方、この場合とは異なり、上記ステップＳ８からステップＳ１０と進んだ場合において、炊飯器本体に設置されている室内空気の温度を検出する外気温センサＴＳ２の検出値が人の体温よりも低く、ユーザーが近づきさえすれば、人感センサＭＳは正常な人検知機能を発揮することができる、当該ステップＳ１０でＮＯの場合には、そのままステップＳ１１に進み、現在のスタンバイ状態が、炊飯中、タイマー予約炊飯中、タイマー予約確定中、保温中などの通常モードのスタンバイ状態でない未操作待機状態の操作スタンバイ中であるか否かを判定する、その結果、ＮＯの現在のスタンバイ状態が、炊飯中、タイマー予約炊飯中、タイマー予約確定中、保温中などの操作スイッチＳＷ１〜ＳＷ１１の操作が不要な炊飯情報等設定済みの通常のスタンバイ状態である場合には、そのまま上述のステップＳ７のスタンバイ状態にリターンする。
【０１７５】
他方、そうではなくて、炊飯情報等が未設定のタッチスイッチの操作が必要な操作待機中のスタンバイ状態であるＹＥＳの場合には、さらに同スタンバイ状態が、上記ステップＳ６の処理を経たタッチ検出用第２のマイコン制御ユニット１００ＢのＷＡＩＴモードであるか否かを判定する。その結果、ＹＥＳの上記ステップＳ６の処理を経た同ＷＡＩＴモードである場合には、上記人感センサＭＳのユーザー検出機能が正常である限り、そのまま上述のステップＳ７のスタンバイ状態に戻り、所定の制御周期で、上記ステップＳ８以降の判定、処理を繰り返す。
【０１７６】
他方、同ステップＳ１２の判定で、ＮＯと判定された、現在のスタンバイ状態が上述のステップＳ６の処理を経た同ＷＡＩＴモードではない時は、さらにステップＳ１３に進んで、上述のステップＳ６の場合と同様に、上記複数の操作スイッチＳＷ１〜ＳＷ１１の照明用発光ダイオードＬ１〜Ｌ２０を全て消灯し、可及的に消費電力の小さい省エネモードでの操作スタンバイ状態、すなわちタッチ検出用第２のマイコン制御ユニット１００ＢのＷＡＩＴモードに移行させた操作待機状態におけるスタンバイ状態に設定し、所定の制御周期で、上記の判定、処理を繰り返す。
【０１７７】
以上のように、この出願の発明の実施の形態では、人感センサＭＳ周囲の雰囲気温度、すなわち室内空気の温度を検出する外気温センサＳ２の検出温度が人の体温よりも低く（ステップＳ４でＮＯ）、正常な人の検出が可能な状態においては、人感センサＭＳの検出入力がない状態（ステップＳ１でＮＯ）が所定の時間（例えば２０秒）以上継続し（ステップＳ２でＹＥＳ）、かつ炊飯器本体の蓋体２が閉まっており（ステップＳ３でＹＥＳ）、さらに炊飯中、タイマー予約炊飯中、タイマー予約確定中、保温中等を除く、操作パネル上の複数の操作スイッチＳＷ１〜ＳＷ１１の何れもが何の操作もされていないキー操作待機中（ステップＳ５でＹＥＳ）であることを条件として、上記タッチ検出用第２のマイコン制御ユニット１００ＢをＷＡＩＴモードに移行させ、上記操作パネル６０上の複数の操作スイッチＳＷ１〜ＳＷ９の操作入力回路をＯＦＦにするとともに、照明用発光ダイオードＬ１〜Ｌ２０を全て消灯し、可及的に消費電力の小さい省エネモードでの操作スタンバイ状態に設定する。したがって、省エネ効果が向上する。
【０１７８】
一方、このタッチ検出用第２のマイコン制御ユニット１００ＢのＷＡＩＴモードは、上述のごとく室内の気温が人の体温よりも低く、上記人感センサＭＳがユーザーの存在を確実に検出できる状態であるから、上記同タッチ検出用第２のマイコン制御ユニット１００ＢがＷＡＩＴモードに設定されている省エネモードでのキー操作スタンバイ状態であっても、上記人感センサＭＳがユーザーの存在を検知したときには、直ちに同タッチ検出用第２のマイコン制御ユニット１００ＢのＷＡＩＴモード（省エネモードでの操作スタンバイ状態）を解除して、複数の操作スイッチＳＷ１〜ＳＷ１１の操作、入力が行えるようにする。したがって、省エネ性能と必要な操作スイッチＳＷ１〜ＳＷ１１の操作性との両立を図ることができる。
【０１７９】
ところが、すでに述べたように、上記人感センサＭＳには不感領域の問題があり、例えば人感センサＭＳのセンサ部周囲の雰囲気温度が人の体温以上に高いときにはユーザーが居ないにも拘わらず、同雰囲気温度で人がいると検出して省エネモードを解除してしまうことも想定され、折角の省エネ機能が働かなくなってしまう可能性がある。
【０１８０】
しかも、これは可能性であって、作動する場合もあれば、作動しない場合もあるということで、実際にユーザーが操作スイッチＳＷ１〜ＳＷ１１を操作しようとしている場合のように、赤外線源である人体が所定の時間内に所定の距離だけ移動することによって確実に人の存在を検出することができるというものではない。したがって、上記のように、室内の気温が人の体温以上に高くなっているときには、上記人感センサＭＳに正常な人検知機能を期待することはできず、仮に検出入力があったとしても、それが実際にユーザーにより操作されようとしているものであるのか、単に人感センサＭＳ周囲の雰囲気温度が高いことによるものであるのかの区別がつかない。
【０１８１】
そこで、この出願の発明の実施の形態では、上述のように、ＡＣ電源がＯＮで、人感センサＭＳの検出入力がない状態が２０秒以上続いた場合には、蓋体２が閉じており、かつ室内の気温が人の体温よりも低い、炊飯中、タイマー予約炊飯中、タイマー予約確定中等を除くキー操作待機中であることを条件に、必ず上記ＷＡＩＴモードに設定するが、同ＷＡＩＴモード設定状態において、上記のように室内の気温が人の体温以上に高くなっているときには、同室内の気温が人の体温以上に高くなっていることを検出し（ステップＳ１０）、上記人感センサＭＳの検出入力があるかないかにかかわらず、上記タッチ検出用第２のマイコン制御ユニット１００ＢのＷＡＩＴモードを強制的に解除し（ステップＳ１５）、その後は、上記人感センサＭＳの検出入力によることなく、複数の操作スイッチＳＷ１〜ＳＷ１１の何れかへのタッチ、または複数のタッチスイッチへのタッチによって、通常だと人感センサＭＳの検出入力がないために無効状態に維持されている複数の操作スイッチＳＷ１〜ＳＷ１１の操作を可能とし、同複数の操作スイッチＳＷ１〜ＳＷ１１の操作入力の判定を行なえるようにしている（ステップＳ１６）。
【０１８２】
この結果、この出願の発明の実施の形態に係る電気炊飯器によれば、周囲の雰囲気温度が本来の検知対象である人の体温よりも低く（ステップＳ１０でＮＯ）、人感センサＭＳが正常に人の存在を検出できる場合はもちろん、周囲の雰囲気温度が本来の検知対象である人の体温以上に高く（ステップＳ１０でＹＥＳ）、人感センサＭＳが正常に人の存在を検出できないような場合においても、人感センサＭＳの検出入力に頼ることなく、ユーザーの操作スイッチＳＷ１〜ＳＷ１１へのタッチ操作に基づいて、確実にＷＡＩＴモードを解除し、必要な操作スイッチＳＷ１〜ＳＷ１１の操作、入力を可能とすることができるようになる。
【０１８３】
したがって、人感センサＭＳを設けた場合にも、本来の適切な操作感を損なうことなく、複数の操作スイッチＳＷ１〜ＳＷ１１を使用した適切な炊飯、保温情報の入力設定を可能とすることができる。
【０１８４】
なお、この場合、上記ＷＡＩＴモード解除時において、ユーザーの指が所定の時間をおいて連続して複数の操作スイッチに触れることがある。その場合、もちろん第１のマイコン制御ユニット１００Ａは、最初に指が触れた１回目のタッチキーへのタッチ操作を検出してＷＡＩＴモードを解除し、２回目のタッチ操作からの操作入力を許容するのであるが、１回目と２回目のタッチ操作の間の時間が余りに短い場合（例えば１５秒以下）は、操作入力ではなく、ＷＡＩＴモード解除時のダブル操作によるものとして、入力を許容しないようにしている。
（２）第２の実施の形態について
次に、図２２は、この出願の発明の第２の実施の形態に係る電気炊飯器の構成における人感センサの検出機能との関係におけるＷＡＩＴモードの制御方法を示している。
【０１８５】
上記人感センサＭＳは、上述のように受光レンズ９１を備えて外部からの赤外光を集光する受光部９０ａおよび該受光部９０ａで集光された赤外光を受光して電気信号を出力する受光回路部９０ｂよりなり、受光部９０ａの受光レンズ９１を通して入射する赤外光を赤外フィルタ９２に通すことによって予め設定された帯域のものにセレクトしたうえで、受光回路部９０ｂ中の焦電素子９３部分に集め、該焦電素子９３部分から出力される受光量に応じた電圧信号をインピーダンス変換し、所定の電圧レベルに増幅した上で出力するようになっている。
【０１８６】
上記焦電素子９３は、例えば圧電セラミックスの一種である焦電セラミックスよりなる一対の焦電電極９３ａ、９３ｂを相互に平行な状態で並設して構成されており、これら相互に平行な一対の焦電電極９３ａ、９３ｂにより、それぞれ入射する赤外光の光源までの距離を検知し、所定の時間内における各々の検知距離の差の変化によりユーザーの動きを検知して、ユーザーがいるか居ないかを判定するようになっている。
【０１８７】
したがって、上記受光部９０ａの受光レンズ９１部分には必然的に周方向に入射角の限界があり、また同入射角は、蓋体２上面の銘板本体２０部分に形成された人感センサＭＳへの赤外線導入口２０ｃの開口径および深さによっても制限される。
【０１８８】
その結果、例えば炊飯器本体の側方部など、当該人感センサＭＳの入射角外の検出不能エリアから操作パネル６０上の操作スイッチＳＷ１〜ＳＷ１１を操作しようとした時にも人感センサＭＳがユーザーの存在を検知することができず、上述したタッチ検出用第２のマイコン制御ユニット１００ＢのＷＡＩＴモード（省エネモード）を解除することができないので、操作パネル６０上の操作スイッチＳＷ１〜ＳＷ１１部分に触れても操作することができないという問題が生じる（前述の第１の実施の形態で述べた２番目の問題）。
【０１８９】
そこで、この実施の形態２の構成の場合、たとえば図２２のフローチャートに示すように、ＡＣ電源がＯＮで、人感センサＭＳの検出入力がない状態が２０秒以上続いた場合には、蓋体２が閉じており、かつ室内の気温が人の体温よりも低い、炊飯中、タイマー予約炊飯中、タイマー予約確定中、保温中等を除くキー操作待機中であることを条件に、必ず上述したタッチ検出用第２のマイコン制御ユニット１００ＢをＷＡＩＴモードに設定する。
【０１９０】
そして、同ＷＡＩＴモード設定状態において、人感センサＭＳの検出入力がないときには（ステップＳ８でＮＯの場合）、同室内の気温が人の体温以上に高くなっていることを検出して（ステップＳ１０）、つまり上記人感センサＭＳの検出入力が適正でないことを考慮して、上記タッチ検出用第２のマイコン制御ユニット１００ＢのＷＡＩＴモードを強制的に解除し（ステップＳ１５）、その後は、上記人感センサＭＳの検出入力によることなく、複数の操作スイッチＳＷ１〜ＳＷ１１の何れかへのタッチ、または複数のスイッチへのタッチによって、通常だと人感センサＭＳの検出入力がないために無効状態に維持されている複数の操作スイッチＳＷ１〜ＳＷ１１の操作を可能とし、同複数の操作スイッチＳＷ１〜ＳＷ１１の操作入力の判定を行なえるようにする（ステップＳ１６）。ここまでの制御内容は、上記第１の実施の形態における図２１のフローチャートの制御内容と同様である。
【０１９１】
但し、この実施の形態の場合には、上記ステップＳ８の人感センサＭＳの検出入力の有無の判定でＮＯ、すなわち人感センサＭＳがユーザーの存在を検出はしていないが、ステップＳ１０の判定でＮＯ、すなわち人感センサＭＳ周囲の雰囲気温度が人の体温以上ではなく、人感センサＭＳがユーザーの存在を正常に検出することができる場合には、現在の状態が、炊飯中、タイマー予約炊飯中、タイマー予約確定中、保温中以外のキー操作待機中であること（ステップＳ１１でＹＥＳ）、上記ＷＡＩＴモードであること（ステップＳ１２でＹＥＳ）を条件に、人感センサＭＳ周囲の雰囲気温度が人の体温以上であると判定された場合（ステップＳ１０でＹＥＳ）と同様に、ステップＳ１５に進んで、上記タッチ検出用第２のマイコン制御ユニット１００ＢのＷＡＩＴモードを強制的に解除し、その後は、上記人感センサＭＳの検出入力によることなく、複数の操作スイッチＳＷ１〜ＳＷ１１の何れかへのタッチ、または複数のスイッチへのタッチによって、通常だと人感センサＭＳの検出入力がないために無効状態に維持されている複数の操作スイッチＳＷ１〜ＳＷ１１の操作を可能とし、同複数の操作スイッチＳＷ１〜ＳＷ１１の操作入力の判定を行なえるようにしている（ステップＳ１６）。その他の構成は、上記第１の実施の形態の図２１のフローチャートの構成と全く同様である。
【０１９２】
この結果、この出願の発明の実施の形態に係る電気炊飯器によれば、周囲の雰囲気温度が本来の検知対象である人の体温よりも低く（ステップＳ１０でＮＯ）、人感センサＭＳが正常に人の存在を検出できる場合であるにも関わらず、炊飯器本体の側方や後方など、ユーザーが人感センサＭＳの検出可能な領域外から操作しようとしているために、人感センサＭＳの機能が正常であるにも関わらずユーザーの存在を検出することができないような場合にも、確実にタッチ検出用第２のマイコン制御ユニット１００ＢのＷＡＩＴモードを解除し、その後は、上記人感センサＭＳの検出入力によることなく、複数の操作スイッチＳＷ１〜ＳＷ１１の何れかへのタッチ、または複数のスイッチへのタッチによって、通常だと人感センサＭＳの検出入力がないために無効状態に維持されている複数の操作スイッチＳＷ１〜ＳＷ１１の操作を可能とし、同複数の操作スイッチＳＷ１〜ＳＷ１１の操作入力の判定を行なえるようにすることができる（ステップＳ１６）。
【０１９３】
したがって、人感センサＭＳを設けた場合にも、本来の適切な操作感を損なうことなく、複数の操作スイッチＳＷ１〜ＳＷ１１を使用した適切な炊飯、保温情報の入力設定を可能とすることができる。
（３）第３の実施の形態について
さらに、上記のように蓋体２に人感センサＭＳを設けた場合、炊飯器本体の蓋体２の蒸気ユニット（調圧ユニット）５１の蒸気口５１ａ、５１ｂから吹き出された高温の「おねば」が、上記銘板本体２０の赤外線導入口２０ｃの上面（凹面部）に流入して、ユーザーが居ないにも拘わらず人感センサＭＳを検知状態にしてしまう。また、冷えた後にも「おねば」が赤外線導入口２０ｃの上面（凹面部）を覆うことにより、人感センサＭＳの感度自体を低下させて検知機能を低下させる等の問題がある（前述の第１の実施の形態で述べた第３の問題）。
【０１９４】
そこで、このような場合にも、上述の図２１、図２２の場合と同様に、人感センサＭＳの検知機能とは別に、操作スイッチＳＷ１〜ＳＷ１１へのタッチ操作によって、人感センサＭＳの検出入力がない場合にも、確実にタッチ検出用第２のマイコン制御ユニット１００ＢのＷＡＩＴモードを解除することができるようにすると、複数の操作スイッチＳＷ１〜ＳＷ１１の何れかへのタッチ、または複数のスイッチへのタッチによって、「おねば」の付着によって人感センサＭＳの検知機能に信頼性がなくなった場合にも、複数の操作スイッチＳＷ１〜ＳＷ１１の操作機能を回復させ、同複数の操作スイッチＳＷ１〜ＳＷ１１の操作による操作入力の判定を行なえるようにすることができる。
（４）第４の実施の形態につて
以上の各実施の形態の場合、タッチ検出用の第２のマイコン制御ユニット１００ＢのＷＡＩＴモードでは操作パネル６０部分の全体がスモーク状態にマスキングされる。したがって、上記のように操作スイッチ（タッチスイッチ）ＳＷ１〜ＳＷ１１の何れかにタッチして同第２のマイコン制御ユニット１００ＢのＷＡＩＴモードを解除しようとしても、その操作スイッチ部分の存在が分かりにくい。その結果、確実な操作を行ないにくいという問題がある。
【０１９５】
そこで、例えば、その存在位置が比較的明確な人感センサＭＳに最も近い位置にある操作スイッチである、例えば上記保温選択スイッチＳＷ８のタッチ電極（静電電極）の電極面積を、その他の操作スイッチＳＷ１〜ＳＷ７、ＳＷ９〜ＳＷ１１のタッチ電極の電極面積よりも相当に広い面積のものに形成し、人体との間に発生する浮遊容量の変化を大きいものにすることによって検知感度を高くするとともに、発光ダイオードによって点灯される文字表示部部分との面積比についても、その他のものよりも大きなものにすることによって相対的に視認しやすくするようにする。
【０１９６】
このような構成にすると、上述した省エネモードのスモーク状態（操作待機・消灯状態）においても、同保温選択スイッチＳＷ８が他のものに比べて或る程度視認しやすくなり、しかも検知感度も高いので、解除操作が容易、かつ確実になる。
（５）第５の実施の形態について
上記電極シートによって構成される操作スイッチ（タッチスイッチ）ＳＷ１〜ＳＷ１１の静電電極部は、例えば銘板本体２０部分に設けられ、必要な黒色のスモーク材や印刷材を介して、さらに防水カバー８０によりカバーされる。
【０１９７】
そして、上述した第２のマイコン制御ユニット１００ＢのＷＡＩＴモードにおいては、同操作スイッチ（タッチスイッチ）ＳＷ１〜ＳＷ１１の静電電極部および文字表示部を含む操作スイッチ（タッチスイッチ）の全体が、それら（特にスモーク材）によって効果的にマスキングされて殆ど見えなくなり、上記図1のような蓋体２の上面がスッキリとした斬新な炊飯器デザインが実現される。
【０１９８】
もちろん、これはこれで有効な構成なのであるが、その結果、上記のような第２のマイコン制御ユニット１００ＢのＷＡＩＴモード解除時に操作スイッチの位置が分かりにくいという問題がある。
【０１９９】
そこで、この実施の形態では、その対応策として、例えば上記スモーク材の静電電極に対応する部分の厚さを、その他の部分よりも薄く形成し、それによってタッチキー外周の静電電極部分がリング状に薄く現れるように構成する。このような構成にすると、図1のようなスモーク状態においても、各操作スイッチの位置が分かりやすくなり、第２のマイコン制御ユニット１００ＢのＷＡＩＴモード解除時の操作が容易になる。
【０２００】
また、このような構成を採用した場合、上記非通電状態解除操作の容易さに加えて、人体と静電電極との距離が近くなり、静電抵抗も小さくなるので、検知感度も向上する。
【０２０１】
なお、この場合、上記スモーク材の厚さを薄くする場合のほかに、上記タッチキー外周の静電電極に対応した部分のスモーク度を低下させることによっても、同様の効果を得ることができる。
（６）その他の実施の形態について
なお、以上の各実施の形態の説明では、適用対象となる電気炊飯器の一例として、例えばセラミック製の内釜とセラミック製の外釜とを備えた電磁誘導型の電気炊飯器を採用した場合について説明したが、この出願の発明は、その本質的な技術的思想の内容から明らかなように、決して以上のような特定の構成の電気炊飯器にのみ適用されるものではなく、たとえば外釜を有しないセラミック製内釜の電気炊飯器、セラミック製でない金属製内鍋の電気炊飯器、セラミック製以外の非金属製内鍋の電気炊飯器、電磁誘導型でないヒータ式の電気炊飯器など、種々の構成の電気炊飯器一般に適用しても、全く同様に上述のような有益な作用効果を奏することができるものである。
【０２０２】
さらに、蓋体の開閉を検出する蓋開閉センサについても、上述のような発光ダイオードと一対のフォトトランジスタ、移動可能な遮光物の組み合わせによる傾斜センサ以外の各種の構成の傾斜センサの採用が可能である。また、蓋の開閉を検出するという点で考えると、必ずしも傾斜センサに限られるものではなく、例えば発光素子と受光素子を組み合わせた近接センサやリミットスイッチなどの採用も可能であることは言うまでもない。
【符号の説明】
【０２０３】
１は炊飯器本体ケース、１ａは外ケース、１ｂは底ケース、２は蓋体、３は内釜、３ａは底部、３ｂは彎曲部、３ｃは側部、３ｄは開口部、４は保護枠、４Ａは第１の保護枠ユニット、４Ｂは第２の保護枠ユニット、５は内釜収納溝、６はセラミック製の外釜、６ａは底部、６ｂは彎曲部、６ｃは側部、６ｄは側部上端、7は磁気遮蔽板、８は肩部材、９はコイル台、２０は銘板本体、２０ｃは第１の受光用開口、２９ａは第２の受光用開口、６０Ａは液晶パネル、６０Ｂはマイコン基板、８０は防水カバー、８０ａは凹レンズ、９０は凹溝部、９０ａは受光部、９０ｂは受光回路部、９１は受光レンズ、９１ａはドーム型の集光部、９１ｂは筒体部、９３は焦電素子、９３ａ、９３ｂは焦電電極、１００Ａは第１のマイコン制御ユニット、１００Ｂは第２のマイコン制御ユニット、ＳＷ１〜ＳＷ１１はタッチパネル式の操作スイッチ、１２０はフラッシュメモリ、１２１はオーディオアンプ、１２３は発光ダイオード駆動回路、ＭＳは人感センサ、ＩＳは傾斜センサ、Ｌ１〜Ｌ１９は操作スイッチ照明用の発光ダイオード、Ｌ２０〜Ｌ２４は液晶パネルのバックライト用発光ダイオード、Ｃ１は第1のワークコイル、Ｃ２は第２のワークコイル、Ｃ３は第３のワークコイル、Ｇ１は第１の誘導発熱部、Ｇ２は第２の誘導発熱部、Ｇ３は第３の誘導発熱部である。
【図１】
0006322796.tif 000002
【図２】
0006322796.tif 000003
【図３】
0006322796.tif 000004
【図４】
0006322796.tif 000005
【図５】
0006322796.tif 000006
【図６】
0006322796.tif 000007
【図７】
0006322796.tif 000008
【図８】
0006322796.tif 000009
【図９】
0006322796.tif 000010
【図１０】
0006322796.tif 000011
【図１１】
0006322796.tif 000012
【図１２】
0006322796.tif 000013
【図１３】
0006322796.tif 000014
【図１４】
0006322796.tif 000015
【図１５】
0006322796.tif 000016
【図１６】
0006322796.tif 000017
【図１７】
0006322796.tif 000018
【図１８】
0006322796.tif 000019
【図１９】
0006322796.tif 000020
【図２０】
0006322796.tif 000021
【図２１】
0006322796.tif 000022
【図２２】
0006322796.tif 000023